(57)【特許請求の範囲】
【請求項１】
中継サービスを要求するための通信方法であって、第2のユーザ機器に適用され、
第1のユーザ機器によって送信された第3の要求メッセージを受信するステップであって、前記第3の要求メッセージが第1のマルチメディアブロードキャスト／マルチキャストサービスのサービスエリア識別情報，MBMS SAI，セットを備え、前記第1のMBMS SAIセットが第1のマルチメディアブロードキャスト／マルチキャストサービス，MBMS，のMBMSサービスエリアのMBMS SAIセットであり、第1のMBMSのMBMSサービスエリアを識別するために使用され、前記第1のMBMSがグループ通信アプリケーションサーバによって前記第1のユーザ機器に提供されるMBMSである、ステップと、
第2のMBMS SAIセットを取得するステップであって、前記第2のMBMS SAIセットが前記第2のユーザ機器のキャンピングセルが属するMBMS SAIセットである、ステップと、
前記第1のMBMS SAIセットと第2のMBMS SAIセットとの間に共通部分セットが存在する場合、前記第1のユーザ機器に第2の応答メッセージを送信し、前記第1のMBMS SAIセットと第2のMBMS SAIセットとの間に共通部分セットが存在しない場合、前記第1のユーザ機器に第2の応答メッセージを送信しないステップであって、前記第2の応答メッセージが、前記第2のユーザ機器が前記第1のMBMS用の中継サービスを前記第1のユーザ機器に提供できることを示すために使用される、ステップと
を備える、方法。
【請求項２】
第2のMBMS SAIセットを取得する前記ステップが、
前記第2のユーザ機器の前記キャンピングセルのシステム情報ブロックSIB15から前記第2のMBMS SAIセットを取得するステップ
を備える、請求項1に記載の方法。
【請求項３】
前記第2の応答メッセージが、前記第1のMBMS SAIセットと前記第2のMBMS SAIセットとの間の共通部分セットを備える、
請求項1に記載の方法。
【請求項４】
前記第1のユーザ機器に第2の応答メッセージを送信する前記ステップの後に、前記方法が、
前記第1のユーザ機器によって送信された第1の要求メッセージを受信するステップであって、前記第1の要求メッセージが、前記第1のMBMS用の前記中継サービスを前記第1のユーザ機器に提供するように、前記第2のユーザ機器に要求するために使用される、ステップと、
前記第1のユーザ機器に第1の応答メッセージを送信するステップであって、前記第1の応答メッセージが、前記第2のユーザ機器から前記第1のMBMSのサービスデータを受信するように、前記第1のユーザ機器に命令するために使用される、ステップと
をさらに備える、請求項1または3に記載の方法。
【請求項５】
前記第3の要求メッセージが第1のTMGIをさらに備え、前記第1のTMGIが前記第1のMBMSを識別するために使用され、
前記第2の応答メッセージが、前記第2のユーザ機器から前記第1のMBMSのサービスデータを受信するように、前記第1のユーザ機器に命令するためにさらに使用される、
請求項1に記載の方法。
【請求項６】
中継サービスを要求するための通信方法であって、第1のユーザ機器に適用され、
第1のマルチメディアブロードキャスト／マルチキャストサービスのサービスエリア識別情報，MBMS SAI，セットを取得するステップであって、前記第1のMBMS SAIセットが第1のマルチメディアブロードキャスト／マルチキャストサービス，MBMS，のMBMSサービスエリアのMBMS SAIセットであり、第1のMBMSのMBMSサービスエリアを識別するために使用され、前記第1のMBMSがグループ通信アプリケーションサーバによって前記第1のユーザ機器に提供されるMBMSである、ステップと、
第2のユーザ機器に第3の要求メッセージを送信するステップであって、前記第3の要求メッセージが前記第1のMBMS SAIセットを備える、ステップと、
前記第1のMBMS SAIセットと第2のMBMS SAIセットとの間に共通部分セットが存在する場合、前記第2のユーザ機器によって送信された第2の応答メッセージを受信し、前記第1のMBMS SAIセットと第2のMBMS SAIセットとの間に共通部分セットが存在しない場合、前記第2の応答メッセージを受信しないステップであって、前記第2のMBMS SAIセットが前記第2のユーザ機器のキャンピングセルが属するMBMS SAIセットであり、前記第2の応答メッセージが、前記第2のユーザ機器が前記第1のMBMS用の中継サービスを前記第1のユーザ機器に提供できることを示すために使用される、ステップと
を備える、方法。
【請求項７】
第1のサービスエリア識別情報MBMS SAIセットを取得する前記ステップが、
前記第1のユーザ機器により、前記グループ通信アプリケーションサーバから前記第1のユーザ機器のユーザサービス記述USDを取得するステップであって、前記第1のユーザ機器の前記USDが、前記グループ通信アプリケーションサーバによって前記第1のユーザ機器に提供される前記MBMSの記述情報を備える、ステップと、
前記第1のユーザ機器の前記USD内にあり、第1の一時モバイルグループ識別情報TMGIに対応するSAIセットを前記第1のMBMS SAIセットとして使用するステップであって、前記第1のTMGIが前記第1のMBMSを識別するために使用される、ステップと
を備える、請求項6に記載の方法。
【請求項８】
前記第2の応答メッセージが、前記第1のMBMS SAIセットと第2のMBMS SAIセットとの間の共通部分セットを備え、前記第2のMBMS SAIセットが前記第2のユーザ機器のキャンピングセルが属するMBMS SAIセットである、
請求項6に記載の方法。
【請求項９】
前記第2のユーザ機器によって送信された第2の応答メッセージを受信する前記ステップの後に、前記方法が、
前記第2のユーザ機器に第1の要求メッセージを送信するステップであって、前記第1の要求メッセージが、前記第1のMBMS用の前記中継サービスを前記第1のユーザ機器に提供するように、前記第2のユーザ機器に要求するために使用される、ステップと、
前記第2のユーザ機器によって送信された第1の応答メッセージを受信するステップであって、前記第1の応答メッセージが、前記第2のユーザ機器から前記第1のMBMSのサービスデータを受信するように、前記第1のユーザ機器に命令するために使用される、ステップと
をさらに備える、請求項8に記載の方法。
【請求項１０】
第2のユーザ機器として使用され、プロセッサと、メモリと、送信機と、受信機と、バスとを備えるユーザ機器であって、前記プロセッサ、前記メモリ、前記送信機、前記受信機、および前記メモリが、前記バスを使用することによって互いに接続され、
前記受信機が、第1のユーザ機器によって送信された第3の要求メッセージを受信するように構成され、前記第3の要求メッセージが第1のマルチメディアブロードキャスト／マルチキャストサービスのサービスエリア識別情報，MBMS SAI，セットを備え、前記第1のMBMS SAIセットが第1のマルチメディアブロードキャスト／マルチキャストサービス，MBMS，のMBMSサービスエリアのMBMS SAIセットであり、第1のMBMSのMBMSサービスエリアを識別するために使用され、前記第1のMBMSがグループ通信アプリケーションサーバによって前記第1のユーザ機器に提供されるMBMSであり、
前記プロセッサが、第2のMBMS SAIセットを取得するように構成され、前記第2のMBMS SAIセットが前記第2のユーザ機器のキャンピングセルが属するMBMS SAIセットであり、
前記送信機が、前記第1のMBMS SAIセットと第2のMBMS SAIセットとの間に共通部分セットが存在すると前記プロセッサが判定すると、前記第1のユーザ機器に第2の応答メッセージを送信し、前記第1のMBMS SAIセットと第2のMBMS SAIセットとの間に共通部分セットが存在しないと前記プロセッサが判定すると、前記第1のユーザ機器に第2の応答メッセージを送信しないように構成され、前記第2の応答メッセージが、前記第2のユーザ機器が前記第1のMBMS用の中継サービスを前記第1のユーザ機器に提供できることを示すために使用される、
ユーザ機器。
【請求項１１】
前記受信機が、前記第2のユーザ機器の前記キャンピングセルのシステム情報ブロックSIB15を受信するようにさらに構成され、
前記プロセッサが、前記受信機によって受信された前記第2のユーザ機器の前記キャンピングセルの前記SIB15から前記第2のMBMS SAIセットを取得するようにさらに構成される、
請求項10に記載のユーザ機器。
【請求項１２】
前記第2の応答メッセージが、前記第1のMBMS SAIセットと前記第2のMBMS SAIセットとの間の共通部分セットを備える、
請求項10に記載のユーザ機器。
【請求項１３】
前記受信機が、前記第1のユーザ機器によって送信された第1の要求メッセージを受信するようにさらに構成され、前記第1の要求メッセージが、前記第1のMBMS用の前記中継サービスを前記第1のユーザ機器に提供するように、前記第2のユーザ機器に要求するために使用され、
前記送信機が、前記第1のユーザ機器に第1の応答メッセージを送信するようにさらに構成され、前記第1の応答メッセージが、前記第2のユーザ機器から前記第1のMBMSのサービスデータを受信するように、前記第1のユーザ機器に命令するために使用される、
請求項10または12に記載のユーザ機器。
【請求項１４】
前記第3の要求メッセージが第1のTMGIをさらに備え、前記第1のTMGIが前記第1のMBMSを識別するために使用され、
前記第2の応答メッセージが、前記第2のユーザ機器から前記第1のMBMSのサービスデータを受信するように、前記第1のユーザ機器に命令するためにさらに使用される、
請求項10に記載のユーザ機器。
【発明の詳細な説明】
【技術分野】
【０００１】
本発明は、通信分野に関し、詳細には、中継サービスを要求するための通信方法、デバイス、およびシステムに関する。
【背景技術】
【０００２】
マルチメディアブロードキャスト／マルチキャストサービス（Multimedia Broadcast／Multicast Service、略してMBMS）では、ユーザ機器（User Equipment、略してUE）が別のユーザ機器によって提供される中継サービスを使用することによってネットワークにアクセスする通信方式は、中継ベースの通信と呼ばれる。中継サービスを必要とするユーザ機器はリモートユーザ機器（Remote UE）と呼ばれ、中継サービスを提供するユーザ機器は中継ユーザ機器（Relay UE）と呼ばれる。たとえば、リモートユーザ機器はネットワークカバレージエリア内にない公共安全（Public Safety）ユーザ機器であり、中継ユーザ機器はネットワークカバレージエリア内にある公共安全ユーザ機器である。この場合、ネットワークカバレージエリア内にないが、リモートユーザ機器は、中継ユーザ機器によって提供される中継サービスを使用することにより、MBMSのサービスデータをさらに受信することができる。具体的には、リモートユーザ機器は、MBMSのサービスデータを取得するために、中継ユーザ機器に中継サービスを要求する。要求を受信した後、中継ユーザ機器は、リモートユーザ機器によって要求されたMBMSのサービスデータを監視し、MBMSのサービスデータが検出された場合、リモートユーザ機器にサービスデータを送信する。
【０００３】
既存の中継ベースの通信では、中継ユーザ機器は、リモートユーザ機器向けの中継サービスを恐らく提供することができない。たとえば、リモートユーザ機器によって要求されるMBMSは、中継ユーザ機器がキャンプオンするセル内で提供されない場合がある。この場合、中継ユーザ機器がキャンプオンするセル内にMBMSのサービスデータが存在しない場合、中継ユーザ機器は、MBMSのサービスデータを検出することができない。しかしながら、中継ユーザ機器は監視をさらに実施し、リモートユーザ機器は、中継ユーザ機器からMBMSのサービスデータを受信するまでさらに待機する。リモートユーザ機器は、待機後、中継ユーザ機器から要求したMBMSのサービスデータを依然受信しない場合があり、それにより、通信リソースが浪費され、リモートユーザ機器向けのサービス効率が低くなる。従来技術の中継ベースの通信方式では、リモートユーザ機器は中継ユーザ機器をランダムに選択し、それにより、通信リソースおよびデバイスエネルギーが浪費され、リモートユーザ機器向けのサービス効率が低くなり、他の問題が引き起こされることを知ることができる。その結果、サービスに対するユーザ満足が著しく影響される。
【発明の概要】
【課題を解決するための手段】
【０００４】
本発明の実施形態は、中継ユーザ機器をランダムに選択することを回避し、リモートユーザ機器向けのサービス効率を高め、サービスに対するユーザ満足を改善するために、中継サービスを要求するための通信方法、デバイス、およびシステムを提供する。
【０００５】
前述の目的を達成するために、本発明の実施形態において以下の技術的解決策が使用される。
【０００６】
第1の態様によれば、中継サービスを要求するための通信方法が提供され、第1のユーザ機器に適用され、通信方法は、
第1のマルチメディアブロードキャスト／マルチキャストサービスのサービスエリア識別情報MBMS SAIセットを取得することであって、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、取得することと、
第2のユーザ機器によって送信された第2のMBMS SAIセットを受信することであって、第2のMBMS SAIセットが第2のユーザ機器のキャンピングセルが属するMBMS SAIセットである、受信することと、
第1のMBMS SAIセットが第2のMBMS SAIセット内の少なくとも1つのSAIを含むとき、第2のユーザ機器に第1の要求メッセージを送信することであって、第1の要求メッセージが、第1のMBMS用の中継サービスを第1のユーザ機器に提供するように、第2のユーザ機器に要求するために使用される、送信することと
を含む。
【０００７】
第1の態様を参照して、第1の可能な実装方式では、第1のMBMSの第1のMBMS SAIセットを取得することは、
第1のユーザ機器により、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、
第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することと
を含む。
【０００８】
第1の態様の第1の可能な実装方式を参照して、第2の可能な実装方式では、
第1の要求メッセージはTMGI監視要求メッセージであり、TMGI監視要求メッセージは第1のTMGIを含む。
【０００９】
第1の態様を参照して、第3の可能な実装方式では、第2のユーザ機器によって送信された第2のMBMS SAIセットを受信することの前に、方法は、
第2のユーザ機器に第2の要求メッセージを送信することであって、第2の要求メッセージが第2のMBMS SAIセットを取得することを要求するために使用される、送信すること
をさらに含む。
【００１０】
第1の態様を参照して、第4の可能な実装方式では、第2のユーザ機器に第1の要求メッセージを送信することの後に、方法は、
第2のユーザ機器から第1の応答メッセージを受信することであって、第1の応答メッセージが、第2のユーザ機器から第1のMBMSのサービスデータを受信するように、第1のユーザ機器に命令するために使用される、受信すること
をさらに含む。
【００１１】
第2の態様によれば、中継サービスを要求するための通信方法が提供され、第2のユーザ機器に適用され、通信方法は、
第2のマルチメディアブロードキャスト／マルチキャストサービスのサービスエリア識別情報MBMS SAIセットを第1のユーザ機器に送信し、その結果、第1のユーザ機器が、第2のMBMS SAIセットおよび第1のMBMS SAIセットに従って、第2のユーザ機器が第1のマルチメディアブロードキャスト／マルチキャストサービスMBMS用の中継サービスを第1のユーザ機器に提供することができるかどうかを判定することであって、第2のMBMS SAIセットが第2のユーザ機器のキャンピングセルが属するMBMS SAIセットであり、第1のMBMS SAIセットが第1のMBMSのMBMSサービスエリアのMBMS SAIセットであり、第1のMBMSがグループ通信アプリケーションサーバによって第1のユーザ機器に提供されるMBMSである、ことと、
第1のユーザ機器によって送信された第1の要求メッセージを受信することであって、第1の要求メッセージが、第1のMBMS用の中継サービスを第1のユーザ機器に提供するように、第2のユーザ機器に要求するために使用される、ことと
を含む。
【００１２】
第2の態様を参照して、第1の可能な実装方式では、第1のユーザ機器に第2のMBMS SAIセットを送信することの前に、方法は、
第2のユーザ機器のキャンピングセルのシステム情報ブロックSIB15から第2のMBMS SAIセットを取得すること
をさらに含む。
【００１３】
第2の態様を参照して、第2の可能な実装方式では、第1のユーザ機器に第2のMBMS SAIセットを送信することの前に、方法は、
第1のユーザ機器によって送信された第2の要求メッセージを受信することであって、第2の要求メッセージが第2のMBMS SAIセットを取得することを要求するために使用される、受信すること
をさらに含む。
【００１４】
第2の態様を参照して、第3の可能な実装方式では、第1のユーザ機器によって送信された第1の要求メッセージを受信することの後に、方法は、
第1のユーザ機器に第1の応答メッセージを送信することであって、第1の応答メッセージが、第2のユーザ機器から第1のMBMSのサービスデータを受信するように、第1のユーザ機器に命令するために使用される、送信すること
をさらに含む。
【００１５】
第3の態様によれば、中継サービスを要求するための通信方法が提供され、第2のユーザ機器に適用され、通信方法は、
第1のユーザ機器によって送信された第3の要求メッセージを受信することであって、第3の要求メッセージが第1のマルチメディアブロードキャスト／マルチキャストサービスのサービスエリア識別情報MBMS SAIセットを含み、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、受信することと、
第2のMBMS SAIセットを取得することであって、第2のMBMS SAIセットが第2のユーザ機器のキャンピングセルが属するMBMS SAIセットである、取得することと、
第1のMBMS SAIセットが第2のMBMS SAIセット内の少なくとも1つのSAIを含むとき、第1のユーザ機器に第2の応答メッセージを送信することであって、第2の応答メッセージが、第2のユーザ機器が第1のMBMS用の中継サービスを第1のユーザ機器に提供できることを示すために使用される、送信することと
を含む。
【００１６】
第3の態様を参照して、第1の可能な実装方式では、第2のMBMS SAIセットを取得することは、
第2のユーザ機器のキャンピングセルのシステム情報ブロックSIB15から第2のMBMS SAIセットを取得すること
を含む。
【００１７】
第3の態様を参照して、第2の可能な実装方式では、
第2の応答メッセージは、第1のMBMS SAIセットと第2のMBMS SAIセットとの間の共通部分セットを含む。
【００１８】
第3の態様または第3の態様の第2の可能な実装方式を参照して、第3の可能な実装方式では、第1のユーザ機器に第2の応答メッセージを送信することの後に、方法は、
第1のユーザ機器によって送信された第1の要求メッセージを受信することであって、第1の要求メッセージが、第1のMBMS用の中継サービスを第1のユーザ機器に提供するように、第2のユーザ機器に要求するために使用される、受信することと、
第1のユーザ機器に第1の応答メッセージを送信することであって、第1の応答メッセージが、第2のユーザ機器から第1のMBMSのサービスデータを受信するように、第1のユーザ機器に命令するために使用される、送信することと
をさらに含む。
【００１９】
第3の態様の第3の可能な実装方式を参照して、第4の可能な実装方式では、
第3の要求メッセージは第1のTMGIをさらに含み、第1のTMGIは第1のMBMSを識別するために使用され、
第2の応答メッセージは、第2のユーザ機器から第1のMBMSのサービスデータを受信するように、第1のユーザ機器に命令するためにさらに使用される。
【００２０】
第4の態様によれば、中継サービスを要求するための通信方法が提供され、第1のユーザ機器に適用され、通信方法は、
第1のマルチメディアブロードキャスト／マルチキャストサービスのサービスエリア識別情報MBMS SAIセットを取得することであって、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、取得することと、
第2のユーザ機器に第3の要求メッセージを送信することであって、第3の要求メッセージが第1のMBMS SAIセットを含む、送信することと、
第2のユーザ機器によって送信された第2の応答メッセージを受信することであって、第2の応答メッセージが、第2のユーザ機器が第1のMBMS用の中継サービスを第1のユーザ機器に提供できることを示すために使用される、受信することと
を含む。
【００２１】
第4の態様を参照して、第1の可能な実装方式では、第1のサービスエリア識別情報MBMS SAIセットを取得することは、
第1のユーザ機器により、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、
第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することと
を含む。
【００２２】
第4の態様を参照して、第2の可能な実装方式では、
第2の応答メッセージは、第1のMBMS SAIセットと第2のMBMS SAIセットとの間の共通部分セットを含み、第2のMBMS SAIセットは、第2のユーザ機器のキャンピングセルが属するMBMS SAIセットである。
【００２３】
第4の態様の第2の可能な実装方式を参照して、第3の可能な実装方式では、第2のユーザ機器によって送信された第2の応答メッセージを受信することの後に、方法は、
第2のユーザ機器に第1の要求メッセージを送信することであって、第1の要求メッセージが、第1のMBMS用の中継サービスを第1のユーザ機器に提供するように、第2のユーザ機器に要求するために使用される、送信することと、
第2のユーザ機器によって送信された第1の応答メッセージを受信することであって、第1の応答メッセージが、第2のユーザ機器から第1のMBMSのサービスデータを受信するように、第1のユーザ機器に命令するために使用される、受信することと
をさらに含む。
【００２４】
第5の態様によれば、ユーザ機器が提供され、第1のユーザ機器として使用され、ユーザ機器は、
第1のマルチメディアブロードキャスト／マルチキャストサービスのサービスエリア識別情報MBMS SAIセットを取得し、第1のMBMS SAIセットを制御ユニットに送るように構成された取得ユニットであって、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、取得ユニットと、
第2のユーザ機器によって送信された第2のMBMS SAIセットを受信し、第2のMBMS SAIセットを制御ユニットに送るように構成された受信ユニットであって、第2のMBMS SAIセットが第2のユーザ機器のキャンピングセルが属するMBMS SAIセットである、受信ユニットと、
第1のMBMS SAIセットが第2のMBMS SAIセット内の少なくとも1つのSAIを含むと制御ユニットが判定すると、第2のユーザ機器に第1の要求メッセージを送信するように構成された送信ユニットであって、第1の要求メッセージが、第1のMBMS用の中継サービスを第1のユーザ機器に提供するように、第2のユーザ機器に要求するために使用される、送信ユニットと
を含む。
【００２５】
第5の態様を参照して、第1の可能な実装方式では、
取得ユニットは、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【００２６】
第5の態様の第1の可能な実装方式を参照して、第2の可能な実装方式では、第1の要求メッセージはTMGI監視要求メッセージであり、TMGI監視要求メッセージは第1のTMGIを含む。
【００２７】
第5の態様を参照して、第3の可能な実装方式では、
送信ユニットは、第2のユーザ機器に第2の要求メッセージを送信するようにさらに構成され、第2の要求メッセージは、第2のMBMS SAIセットを取得することを要求するために使用される。
【００２８】
第5の態様を参照して、第4の可能な実装方式では、
受信ユニットは、第2のユーザ機器から第1の応答メッセージを受信するようにさらに構成され、第1の応答メッセージは、第2のユーザ機器から第1のMBMSのサービスデータを受信するように、第1のユーザ機器に命令するために使用される。
【００２９】
第6の態様によれば、ユーザ機器が提供され、第2のユーザ機器として使用され、ユーザ機器は、
第2のマルチメディアブロードキャスト／マルチキャストサービスのサービスエリア識別情報MBMS SAIセットを第1のユーザ機器に送信し、その結果、第1のユーザ機器が、第2のMBMS SAIセットおよび第1のMBMS SAIセットに従って、第2のユーザ機器が第1のマルチメディアブロードキャスト／マルチキャストサービスMBMS用の中継サービスを第1のユーザ機器に提供することができるかどうかを判定するように構成された送信ユニットであって、第2のMBMS SAIセットが第2のユーザ機器のキャンピングセルが属するMBMS SAIセットであり、第1のMBMS SAIセットが第1のMBMSのMBMSサービスエリアのMBMS SAIセットであり、第1のMBMSがグループ通信アプリケーションサーバによって第1のユーザ機器に提供されるMBMSである、送信ユニットと、
第1のユーザ機器によって送信された第1の要求メッセージを受信するように構成された受信ユニットであって、第1の要求メッセージが、第1のMBMS用の中継サービスを第1のユーザ機器に提供するように、第2のユーザ機器に要求するために使用される、受信ユニットと、
を含む。
【００３０】
第6の態様を参照して、第1の可能な実装方式では、
受信ユニットは、第2のユーザ機器のキャンピングセルのシステム情報ブロックSIB15を受信するようにさらに構成され、
ユーザ機器は、受信ユニットによって受信された第2のユーザ機器のキャンピングセルのシステム情報ブロックSIB15から第2のMBMS SAIセットを取得するように構成された取得ユニットをさらに含む。
【００３１】
第6の態様を参照して、第2の可能な実装方式では、
受信ユニットは、第1のユーザ機器によって送信された第2の要求メッセージを受信するようにさらに構成され、第2の要求メッセージは、第2のMBMS SAIセットを取得することを要求するために使用される。
【００３２】
第6の態様を参照して、第3の可能な実装方式では、
送信ユニットは、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【００３３】
第7の態様によれば、ユーザ機器が提供され、第2のユーザ機器として使用され、ユーザ機器は、
第1のユーザ機器によって送信された第3の要求メッセージを受信し、第3の要求メッセージを制御ユニットに送るように構成された受信ユニットであって、第3の要求メッセージが第1のマルチメディアブロードキャスト／マルチキャストサービスのサービスエリア識別情報MBMS SAIセットを含み、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、受信ユニットと、
第2のMBMS SAIセットを取得し、第2のMBMS SAIセットを制御ユニットに送るように構成された取得ユニットであって、第2のMBMS SAIセットが第2のユーザ機器のキャンピングセルが属するMBMS SAIセットである、取得ユニットと、
第1のMBMS SAIセットが第2のMBMS SAIセット内の少なくとも1つのSAIを含むと制御ユニットが判定すると、第1のユーザ機器に第2の応答メッセージを送信するように構成された送信ユニットであって、第2の応答メッセージが、第2のユーザ機器が第1のMBMS用の中継サービスを第1のユーザ機器に提供できることを示すために使用される、送信ユニットと
を含む。
【００３４】
第7の態様を参照して、第1の可能な実装方式では、
受信ユニットは、第2のユーザ機器のキャンピングセルのシステム情報ブロックSIB15を受信するようにさらに構成され、
取得ユニットは、具体的に、受信ユニットによって受信された第2のユーザ機器のキャンピングセルのシステム情報ブロックSIB15から第2のMBMS SAIセットを取得するように構成される。
【００３５】
第7の態様を参照して、第2の可能な実装方式では、
第2の応答メッセージは、第1のMBMS SAIセットと第2のMBMS SAIセットとの間の共通部分セットを含む。
【００３６】
第7の態様または第7の態様の第2の可能な実装方式を参照して、第3の可能な実装方式では、
受信ユニットは、第1のユーザ機器によって送信された第1の要求メッセージを受信するようにさらに構成され、第1の要求メッセージは、第1のMBMS用の中継サービスを第1のユーザ機器に提供するように、第2のユーザ機器に要求するために使用され、
送信ユニットは、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【００３７】
第7の態様の第3の可能な実装方式を参照して、第4の可能な実装方式では、
第3の要求メッセージは第1のTMGIをさらに含み、第1のTMGIは第1のMBMSを識別するために使用され、
第2の応答メッセージは、第2のユーザ機器から第1のMBMSのサービスデータを受信するように、第1のユーザ機器に命令するためにさらに使用される。
【００３８】
第8の態様によれば、ユーザ機器が提供され、第1のユーザ機器として使用され、ユーザ機器は、
第1のマルチメディアブロードキャスト／マルチキャストサービスのサービスエリア識別情報MBMS SAIセットを取得するように構成された取得ユニットであって、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、取得ユニットと、
第2のユーザ機器に第3の要求メッセージを送信するように構成された送信ユニットであって、第3の要求メッセージが取得ユニットによって取得された第1のMBMS SAIセットを含む、送信ユニットと、
第2のユーザ機器によって送信された第2の応答メッセージを受信するように構成された受信ユニットであって、第2の応答メッセージが、第2のユーザ機器が第1のMBMS用の中継サービスを第1のユーザ機器に提供できることを示すために使用される、受信ユニットと
を含む。
【００３９】
第8の態様を参照して、第1の可能な実装方式では、
取得ユニットは、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【００４０】
第8の態様を参照して、第2の可能な実装方式では、
第2の応答メッセージは、第1のMBMS SAIセットと第2のMBMS SAIセットとの間の共通部分セットを含み、第2のMBMS SAIセットは、第2のユーザ機器のキャンピングセルが属するMBMS SAIセットである。
【００４１】
第8の態様の第2の可能な実装方式を参照して、第3の可能な実装方式では、
送信ユニットは、第2のユーザ機器に第1の要求メッセージを送信するようにさらに構成され、第1の要求メッセージは、第1のMBMS用の中継サービスを第1のユーザ機器に提供するように、第2のユーザ機器に要求するために使用され、
受信ユニットは、第2のユーザ機器によって送信された第1の応答メッセージを受信するようにさらに構成され、第1の応答メッセージは、第2のユーザ機器から第1のMBMSのサービスデータを受信するように、第1のユーザ機器に命令するために使用される。
【００４２】
第9の態様によれば、プロセッサと、メモリと、送信機と、受信機と、バスとを含むユーザ機器が提供され、第1のユーザ機器として使用され、プロセッサ、メモリ、送信機、受信機、およびメモリは、バスを使用することによって互いに接続される。
【００４３】
プロセッサは、第1のマルチメディアブロードキャスト／マルチキャストサービスのサービスエリア識別情報MBMS SAIセットを取得するように構成され、第1のMBMS SAIセットは、第1のマルチメディアブロードキャスト／マルチキャストサービスMBMSのMBMSサービスエリアのMBMS SAIセットであり、第1のMBMSは、グループ通信アプリケーションサーバによって第1のユーザ機器に提供されるMBMSである。
【００４４】
受信機は、第2のユーザ機器によって送信された第2のMBMS SAIセットを受信するように構成され、第2のMBMS SAIセットは、第2のユーザ機器のキャンピングセルが属するMBMS SAIセットである。
【００４５】
送信機は、第1のMBMS SAIセットが第2のMBMS SAIセット内の少なくとも1つのSAIを含むとプロセッサが判定すると、第2のユーザ機器に第1の要求メッセージを送信するように構成され、第1の要求メッセージは、第1のMBMS用の中継サービスを第1のユーザ機器に提供するように、第2のユーザ機器に要求するために使用される。
【００４６】
第9の態様を参照して、第1の可能な実装方式では、
プロセッサは、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【００４７】
第9の態様の第1の可能な実装方式を参照して、第2の可能な実装方式では、第1の要求メッセージはTMGI監視要求メッセージであり、TMGI監視要求メッセージは第1のTMGIを含む。
【００４８】
第9の態様を参照して、第3の可能な実装方式では、
送信機は、第2のユーザ機器に第2の要求メッセージを送信するようにさらに構成され、第2の要求メッセージは、第2のMBMS SAIセットを取得することを要求するために使用される。
【００４９】
第9の態様を参照して、第4の可能な実装方式では、
受信機は、第2のユーザ機器から第1の応答メッセージを受信するようにさらに構成され、第1の応答メッセージは、第2のユーザ機器から第1のMBMSのサービスデータを受信するように、第1のユーザ機器に命令するために使用される。
【００５０】
第10の態様によれば、プロセッサと、メモリと、送信機と、受信機と、バスとを含むユーザ機器が提供され、第2のユーザ機器として使用され、プロセッサ、メモリ、送信機、受信機、およびメモリは、バスを使用することによって互いに接続される。
【００５１】
送信機は、第2のマルチメディアブロードキャスト／マルチキャストサービスのサービスエリア識別情報MBMS SAIセットを第1のユーザ機器に送信するように構成され、その結果、第1のユーザ機器は、第2のMBMS SAIセットおよび第1のMBMS SAIセットに従って、第2のユーザ機器が第1のマルチメディアブロードキャスト／マルチキャストサービスMBMS用の中継サービスを第1のユーザ機器に提供することができるかどうかを判定し、第2のMBMS SAIセットは、第2のユーザ機器のキャンピングセルが属するMBMS SAIセットであり、第1のMBMS SAIセットは、第1のMBMSのMBMSサービスエリアのMBMS SAIセットであり、第1のMBMSは、グループ通信アプリケーションサーバによって第1のユーザ機器に提供されるMBMSである。
【００５２】
受信機は、第1のユーザ機器によって送信された第1の要求メッセージを受信するように構成され、第1の要求メッセージは、第1のMBMS用の中継サービスを第1のユーザ機器に提供するように、第2のユーザ機器に要求するために使用される。
【００５３】
第10の態様を参照して、第1の可能な実装方式では、
受信機は、第2のユーザ機器のキャンピングセルのシステム情報ブロックSIB15を受信するようにさらに構成され、
プロセッサは、受信ユニットによって受信された第2のユーザ機器のキャンピングセルのシステム情報ブロックSIB15から第2のMBMS SAIセットを取得するように構成される。
【００５４】
第10の態様を参照して、第2の可能な実装方式では、
受信機は、第1のユーザ機器によって送信された第2の要求メッセージを受信するようにさらに構成され、第2の要求メッセージは、第2のMBMS SAIセットを取得することを要求するために使用される。
【００５５】
第10の態様を参照して、第3の可能な実装方式では、
送信機は、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【００５６】
第11の態様によれば、プロセッサと、メモリと、送信機と、受信機と、バスとを含むユーザ機器が提供され、第2のユーザ機器として使用され、プロセッサ、メモリ、送信機、受信機、およびメモリは、バスを使用することによって互いに接続される。
【００５７】
受信機は、第1のユーザ機器によって送信された第3の要求メッセージを受信するように構成され、第3の要求メッセージは、第1のマルチメディアブロードキャスト／マルチキャストサービスのサービスエリア識別情報MBMS SAIセットを含み、第1のMBMS SAIセットは、第1のマルチメディアブロードキャスト／マルチキャストサービスMBMSのMBMSサービスエリアのMBMS SAIセットであり、第1のMBMSは、グループ通信アプリケーションサーバによって第1のユーザ機器に提供されるMBMSである。
【００５８】
プロセッサは、第2のMBMS SAIセットを取得するように構成され、第2のMBMS SAIセットは、第2のユーザ機器のキャンピングセルが属するMBMS SAIセットである。
【００５９】
送信機は、第1のMBMS SAIセットが第2のMBMS SAIセット内の少なくとも1つのSAIを含むとプロセッサが判定すると、第1のユーザ機器に第2の応答メッセージを送信するように構成され、第2の応答メッセージは、第2のユーザ機器が第1のMBMS用の中継サービスを第1のユーザ機器に提供できることを示すために使用される。
【００６０】
第11の態様を参照して、第1の可能な実装方式では、
受信機は、第2のユーザ機器のキャンピングセルのシステム情報ブロックSIB15を受信するようにさらに構成され、
プロセッサは、受信機によって受信された第2のユーザ機器のキャンピングセルのシステム情報ブロックSIB15から第2のMBMS SAIセットを取得するようにさらに構成される。
【００６１】
第11の態様を参照して、第2の可能な実装方式では、
第2の応答メッセージは、第1のMBMS SAIセットと第2のMBMS SAIセットとの間の共通部分セットを含む。
【００６２】
第11の態様または第11の態様の第2の可能な実装方式を参照して、第3の可能な実装方式では、
受信機は、第1のユーザ機器によって送信された第1の要求メッセージを受信するようにさらに構成され、第1の要求メッセージは、第1のMBMS用の中継サービスを第1のユーザ機器に提供するように、第2のユーザ機器に要求するために使用され、
送信機は、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【００６３】
第11の態様の第3の可能な実装方式を参照して、第4の可能な実装方式では、第3の要求メッセージは第1のTMGIをさらに含み、第1のTMGIは第1のMBMSを識別するために使用され、
第2の応答メッセージは、第2のユーザ機器から第1のMBMSのサービスデータを受信するように、第1のユーザ機器に命令するためにさらに使用される。
【００６４】
第12の態様によれば、プロセッサと、メモリと、送信機と、受信機と、バスとを含むユーザ機器が提供され、第1のユーザ機器として使用され、プロセッサ、メモリ、送信機、受信機、およびメモリは、バスを使用することによって互いに接続される。
【００６５】
プロセッサは、第1のマルチメディアブロードキャスト／マルチキャストサービスのサービスエリア識別情報MBMS SAIセットを取得するように構成され、第1のMBMS SAIセットは、第1のマルチメディアブロードキャスト／マルチキャストサービスMBMSのMBMSサービスエリアのMBMS SAIセットであり、第1のMBMSは、グループ通信アプリケーションサーバによって第1のユーザ機器に提供されるMBMSである。
【００６６】
送信機は、第2のユーザ機器に第3の要求メッセージを送信するように構成され、第3の要求メッセージは、取得ユニットによって取得された第1のMBMS SAIセットを含む。
【００６７】
受信機は、第2のユーザ機器によって送信された第2の応答メッセージを受信するように構成され、第2の応答メッセージは、第2のユーザ機器が第1のMBMS用の中継サービスを第1のユーザ機器に提供できることを示すために使用される。
【００６８】
第12の態様を参照して、第1の可能な実装方式では、
プロセッサは、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【００６９】
第12の態様を参照して、第2の可能な実装方式では、
第2の応答メッセージは、第1のMBMS SAIセットと第2のMBMS SAIセットとの間の共通部分セットを含み、第2のMBMS SAIセットは、第2のユーザ機器のキャンピングセルが属するMBMS SAIセットである。
【００７０】
第12の態様の第2の可能な実装方式を参照して、第3の可能な実装方式では、
送信機は、第2のユーザ機器に第1の要求メッセージを送信するようにさらに構成され、第1の要求メッセージは、第1のMBMS用の中継サービスを第1のユーザ機器に提供するように、第2のユーザ機器に要求するために使用され、
受信機は、第2のユーザ機器によって送信された第1の応答メッセージを受信するようにさらに構成され、第1の応答メッセージは、第2のユーザ機器から第1のMBMSのサービスデータを受信するように、第1のユーザ機器に命令するために使用される。
【００７１】
第13の態様によれば、通信システムが提供され、通信システムは、
第1のユーザ機器と第2のユーザ機器とを含み、
第1のユーザ機器は、第5の態様もしくは第5の態様の第1から第4の可能な実装形式のうちのいずれか1つに記載されたユーザ機器であり、第2のユーザ機器は、第6の態様もしくは第6の態様の第1から第3の可能な実装形式のうちのいずれか1つに記載されたユーザ機器である、または、
第1のユーザ機器は、第8の態様もしくは第8の態様の第1から第3の可能な実装形式のうちのいずれか1つに記載されたユーザ機器であり、第2のユーザ機器は、第7の態様もしくは第7の態様の第1から第4の可能な実装形式のうちのいずれか1つに記載されたユーザ機器である、または、
第1のユーザ機器は、第9の態様もしくは第9の態様の第1から第4の可能な実装形式のうちのいずれか1つに記載されたユーザ機器であり、第2のユーザ機器は、第10の態様もしくは第10の態様の第1から第3の可能な実装形式のうちのいずれか1つに記載されたユーザ機器である、または、
第1のユーザ機器は、第12の態様もしくは第12の態様の第1から第3の可能な実装形式のうちのいずれか1つに記載されたユーザ機器であり、第2のユーザ機器は、第11の態様もしくは第11の態様の第1から第4の可能な実装形式のうちのいずれか1つに記載されたユーザ機器である。
【００７２】
本発明の実施形態において提供される、中継サービスを要求するための通信方法、デバイス、およびシステムによれば、第1のユーザ機器または第2のユーザ機器は、第1のMBMS SAIセットを第2のMBMS SAIセットと比較し、第1のMBMS SAIセットが第2のMBMS SAIセット内の少なくとも1つのSAIを含むとき、第2のユーザ機器が第1のMBMS用の中継サービスを第1のユーザ機器に提供する中継ユーザ機器として使用することができると判定する。
【００７３】
第1のMBMS SAIセットは、第1のマルチメディアブロードキャスト／マルチキャストサービスMBMSのMBMSサービスエリアのMBMS SAIセットであり、第2のMBMS SAIセットは、第2のユーザ機器のキャンピングセルが属するMBMS SAIセットである。第1のMBMS SAIセットが第2のMBMS SAIセット内の少なくとも1つのSAIを含む場合、それは、第2のユーザ機器のキャンピングセルが第1のMBMSのMBMSサービスエリアに属する（属した）、すなわち、第2のユーザ機器のキャンピングセルが第1のMBMSのMBMSサービスエリアのカバレージ内にあることを意味する。この場合、第2のユーザ機器のキャンピングセルは第1のMBMSを提供する。
【００７４】
第1のユーザ機器は、第2のユーザ機器が中継ユーザ機器として使用することができると判定した後、第2のユーザ機器に中継サービスを要求する。このようにして、中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【００７５】
本発明の実施形態または従来技術における技術的解決策をより明確に記載するために、以下で、実施形態を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００７６】
【図１】本発明の一実施形態による、中継サービスを要求するための通信方法の概略フローチャートである。
【図２】本発明の一実施形態による、中継サービスを要求するための別の通信方法の概略フローチャートである。
【図３】本発明の一実施形態による、中継サービスを要求するためのまた別の通信方法の概略フローチャートである。
【図４】本発明の別の実施形態による、中継サービスを要求するための通信方法の概略フローチャートである。
【図５】本発明の別の実施形態による、中継サービスを要求するための別の通信方法の概略フローチャートである。
【図６】本発明の別の実施形態による、中継サービスを要求するためのまた別の通信方法の概略フローチャートである。
【図７】本発明の一実施形態による、ユーザ機器の概略構造図である。
【図８】本発明の一実施形態による、他のユーザ機器の概略構造図である。
【図９】本発明の別の実施形態による、ユーザ機器の概略構造図である。
【図１０】本発明の別の実施形態による、他のユーザ機器の概略構造図である。
【図１１】本発明の一実施形態による、また他のユーザ機器の概略構造図である。
【図１２】本発明の一実施形態による、さらに他のユーザ機器の概略構造図である。
【図１３】本発明の別の実施形態による、また他のユーザ機器の概略構造図である。
【図１４】本発明の別の実施形態による、さらに他のユーザ機器の概略構造図である。
【図１５】本発明の一実施形態による、通信システムの概略図である。
【発明を実施するための形態】
【００７７】
以下で、本発明の実施形態における添付図面を参照して、本発明の実施形態における技術的解決策を明確かつ完全に記載する。明らかに、記載される実施形態は、本発明の実施形態のうちのいくつかにすぎず、すべてではない。創造的な努力なしに、本発明の実施形態に基づいて当業者によって取得されるすべての他の実施形態は、本発明の保護範囲内に入るべきである。
【００７８】
ユーザ機器（User Equipment、略してUE）が別のユーザ機器によって提供される中継サービスを使用することによってネットワークにアクセスする通信方式は、中継ベースの通信と呼ばれる。本発明の実施形態では、本発明の実施形態において提供される中継サービスを要求するための通信方法を記載する一例として、MBMSの適用シナリオが使用される。当然、本発明の実施形態において提供される中継サービスを要求するための通信方法は、eMBMS（Enhanced Multimedia Broadcast／Multicast Service、発展型マルチメディアブロードキャスト／マルチキャストサービス）の適用シナリオまたは別の適用シナリオにさらに適用される場合がある。中継サービスを要求するための通信方法の具体的な適用シナリオは、本発明では限定されない。
【００７９】
MBMSはブロードキャストサービスおよびマルチキャストサービスをサポートし、マルチメディアビデオ情報は、すべてのユーザ機器に直接ブロードキャストされる場合があるか、またはユーザ機器の特定のグループに送信される場合がある。たとえば、無料MBMSはブロードキャスト方式でユーザ機器に送信される場合があり、その結果、すべてのユーザ機器は無料MBMSを受信することができる。有料MBMSの場合、サービスデータは、マルチキャスト方式で、料金を支払うユーザ機器にのみ送信される。
【００８０】
MBMSは、複数のマルチメディアサービスを提供することができる。たとえば、モバイルフォンテレビジョンサービスは現在比較的普及しており、ユーザが、モバイルフォンを使用することにより、ニュースまたは試合などのテレビ番組を便利に見ることを可能にする。本発明の実施形態では、中継サービスを要求するための通信方法を記載するために、第1のユーザ機器が第1のMBMSのサービスを取得するために中継サービスを要求する一例が使用される。
【００８１】
図1を参照すると、本発明の一実施形態は、中継サービスを要求するための方法を提供する。方法は第1のユーザ機器に適用され、具体的に以下のステップを含む。
【００８２】
101．第1のMBMS SAIセットを取得する。
【００８３】
MBMS SAI（Service Area Identities、サービスエリア識別情報）は、MBMSのサービスエリアを識別するために使用される。第1のMBMS SAIセットは、第1のMBMSのMBMSサービスエリアのMBMS SAIセットであり、第1のMBMSのMBMSサービスエリアを識別するために使用される。第1のMBMSは、第1のユーザ機器にグループ通信アプリケーションサーバ（Group Communication Application Server）によって提供されるMBMSであり、第1のユーザ機器が加入するMBMS、グループ通信アプリケーションサーバによって第1のユーザ機器に実際にプッシュされたMBMSなどを含み、具体的には、様々な無料MBMS、有料MBMS、および試行MBMSなどを含む。
【００８４】
第1のMBMS SAIセットは、1つまたは複数のMBMS SAIを含む場合があり、すなわち、第1のMBMSは、1つまたは複数のMBMSサービスエリアを有する場合がある。第1のMBMS SAIセット内の各MBMS SAIによって識別されるMBMSサービスは、ユーザに第1のMBMSを提供することができる。
【００８５】
102．第2のユーザ機器によって送信された第2のMBMS SAIセットを受信する。
【００８６】
第2のMBMS SAIセットは、第2のユーザ機器のキャンピングセルが属するMBMS SAIセットである。第2のMBMS SAIセットは1つまたは複数のMBMS SAIを含む場合があり、それは、第2のユーザ機器のキャンピングセルが1つまたは複数のMBMSサービスエリアに属する、すなわち、第2のユーザ機器のキャンピングセルが1つまたは複数のMBMSサービスエリアのカバレージ内にあることを示す。
【００８７】
103．第1のMBMS SAIセットが第2のMBMS SAIセット内の少なくとも1つのSAIを含むとき、第2のユーザ機器に第1の要求メッセージを送信する。
【００８８】
場合によっては、たとえば、第1のユーザ機器がネットワークカバレージエリア内になく、第1のMBMSのサービスデータを直接取得することができないとき、第1のユーザ機器は、他のユーザ機器に中継サービスを要求することにより、第1のMBMSのサービスデータを取得する場合がある。
【００８９】
この実施形態では、第1のユーザ機器は、第1のMBMS SAIセットおよび第2のユーザ機器から受信された第2のMBMS SAIセットに従って、第2のユーザ機器が第1のMBMS用の中継サービスを第1のユーザ機器に提供する中継ユーザ機器として使用することができるかどうかを判定する。
【００９０】
具体的な判定方式は、第1のMBMS SAIセットが第2のMBMS SAIセット内の少なくとも1つのSAIを含むかどうかを判定すること、または第2のMBMS SAIセットが第1のMBMS SAIセット内の少なくとも1つのSAIを含むかどうかを判定することである。
【００９１】
第1のMBMS SAIセットが第2のMBMS SAIセット内の少なくとも1つのSAIを含む場合、それは、第1のMBMS SAIセットと第2のMBMS SAIセットとの間に共通部分セットが存在する、すなわち、第2のユーザ機器のキャンピングセルが第1のMBMSのMBMSサービスエリアに属する（belonged to）、または、第2のユーザ機器のキャンピングセルが第1のMBMSのMBMSサービスエリアのカバレージ内にあることを意味する。この場合、第2のユーザ機器は中継ユーザ機器として使用することができる。
【００９２】
第1のユーザ機器は、第2のユーザ機器が中継サービスを提供することができると判定した後、第2のユーザ機器に第1の要求メッセージを送信する。第1の要求メッセージは、第1のMBMS用の中継サービスを第1のユーザ機器に提供するように、第2のユーザ機器に要求するために使用される。
【００９３】
本発明のこの実施形態による中継サービスを要求するための通信方法では、第1のユーザ機器は、第1のMBMS SAIセットおよび第2のMBMS SAIセットを取得し、第2のユーザ機器のキャンピングセルが第1のMBMSのMBMSサービスエリアのカバレージ内にあると判定すると、第1のMBMS用の中継サービスを第1のユーザ機器に提供するように、第2のユーザ機器に要求する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【００９４】
図1に対応する実施形態を参照して、本発明の一実施形態は、中継サービスを要求するための別の通信方法を提供する。図2を参照すると、方法は第2のユーザ機器に適用され、具体的に以下のステップを含む。
【００９５】
201．第1のユーザ機器に第2のMBMS SAIセットを送信する。
【００９６】
第2のMBMS SAIセットは、第2のユーザ機器のキャンピングセルが属するMBMS SAIセットである。
【００９７】
この実施形態では、第1のユーザ機器は、第1のMBMS SAIセットおよび第2のMBMS SAIセットに従って、第2のユーザ機器が第1のMBMS用の中継サービスを提供することができるかどうかを判定する必要がある。したがって、第2のユーザ機器は、第1のユーザ機器に第2のMBMS SAIセットを送信し、その結果、第1のユーザ機器は、第2のユーザ機器に中継サービスを要求するべきかどうかを判定する。第1のMBMSは、グループ通信アプリケーションサーバによって第1のユーザ機器に提供されるMBMSであり、第1のMBMS SAIは、第1のMBMSのMBMSサービスエリアを識別するために使用される。
【００９８】
202．第1のユーザ機器によって送信された第1の要求メッセージを受信し、第1の要求メッセージは、第1のMBMS用の中継サービスを第1のユーザ機器に提供するように、第2のユーザ機器に要求するために使用される。
【００９９】
第2のユーザ機器が第1のユーザ機器によって送信された第1の要求メッセージを受信すると、それは、第1のユーザ機器が、第2のユーザ機器が第1のMBMS用の中継サービスを提供することができると判定し、第2のユーザ機器に中継サービスを要求したことを示す。
【０１００】
本発明のこの実施形態による中継サービスを要求するための通信方法では、第2のユーザ機器は、第1のユーザ機器に第2のMBMS SAIセットを送信し、その結果、第1のユーザ機器は、第2のユーザ機器が中継ユーザ機器として使用することができると判定した後、第2のユーザ機器に第1のMBMS用の中継サービスを要求する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０１０１】
図1および図2に対応する実施形態に基づいて、本発明の一実施形態は、中継サービスを要求するためのまた別の通信方法を提供する。図3を参照すると、方法は具体的に以下のステップを含む。
【０１０２】
301．第1のユーザ機器が第1のMBMS SAIセットを取得する。
【０１０３】
第1のMBMS SAIセットは、第1のMBMSのMBMSサービスエリアのMBMS SAIセットであり、第1のMBMSのMBMSサービスエリアを識別するために使用される。第1のMBMSは、グループ通信アプリケーションサーバによって第1のユーザ機器に提供される任意のMBMSであり得る。
【０１０４】
場合によっては、第1のユーザ機器は、グループ通信アプリケーションサーバにアクセスすることにより、グループ通信アプリケーションサーバから第1のユーザ機器のユーザサービス記述（User Service Description、略してUSD）を取得し、第1のユーザ機器のUSDから第1のMBMS SAIセットを取得する。第1のユーザ機器のUSDは、グループ通信アプリケーションサーバによって第1のユーザ機器に提供されるMBMSの記述情報を含む。
【０１０５】
具体的には、グループ通信アプリケーションサーバは、第1のユーザ機器に1つまたは複数のMBMSを提供する。第1のユーザ機器のUSDでは、様々な一時モバイルグループ識別情報（Temporary Mobile Group Identity、略してTMGI）を使用することにより様々なMBMSが識別され、すなわち、1つのMBMSは1つのTMGIに対応する。さらに、1つのTMGIは1つまたは複数のSAIに対応し、1つのSAIは1つのMBMSサービスエリアを識別する。USDを取得した後、第1のユーザ機器は、USD内にあり、第1のTMGIに対応するSAIを第1のMBMS SAIセットとして使用し、第1のTMGIは第1のMBMSを識別するTMGIである。
【０１０６】
第1のユーザ機器がグループ通信アプリケーションサーバにアクセスしてUSDを取得する前述のプロセスでは、第1のユーザ機器は、グループ通信アプリケーションサーバに直接アクセスして、グループ通信アプリケーションサーバから第1のユーザ機器のUSDを取得する場合があるか、または第2のユーザ機器を使用することによりグループ通信アプリケーションサーバにアクセスし、グループ通信アプリケーションサーバから第1のユーザ機器のUSDを取得する場合がある。たとえば、ネットワークカバレージエリア内の第1のユーザ機器は、グループ通信アプリケーションサーバに直接アクセスして、USDを取得し記憶する。ネットワークカバレージエリア外の第1のユーザ機器は、第2のユーザ機器を使用することによってネットワークにアクセスし、第2のユーザ機器を使用することによりグループ通信アプリケーションサーバにアクセスする場合がある。
【０１０７】
302．第2のユーザ機器が第2のMBMS SAIセットを取得し、第2のMBMS SAIセットを第1のユーザ機器に送信する。
【０１０８】
第2のMBMS SAIセットは、第2のユーザ機器のキャンピングセルが属するMBMS SAIセットである。
【０１０９】
第2のユーザ機器は、第2のユーザ機器のキャンピングセルのSIB（System Information Block Type、システム情報ブロック）15から第2のMBMS SAIを取得する場合がある。
【０１１０】
SIB15は、第2のユーザ機器のキャンピングセルの現在の周波数用のMBMS SAIのリスト（List of MBMS SAIs for the Current Frequeny）を含む。リスト内の各SAIは、第2のユーザ機器のキャンピングセルが属するMBMSサービスエリアを識別する。SIB15を受信し構文解析した後、第2のユーザ機器は、リスト内のSAIを第2のMBMS SAIセットとして使用する。
【０１１１】
第2のユーザ機器は、第2のMBMS SAIセットを取得した後、第2のMBMS SAIセットをブロードキャストする。第1のユーザ機器は、第2のユーザ機器のブロードキャストを受信することにより、第2のMBMS SAIセットを受信する。
【０１１２】
代替として、第1のユーザ機器は、第2のユーザ機器に要求を送信して第2のMBMS SAIセットを取得する。具体的には、第1のユーザ機器は、第2のユーザ機器に第2の要求メッセージを送信し、第2の要求メッセージは、第2のMBMS SAIセットを取得することを要求するために使用される。第2の要求メッセージを受信した後、第2のユーザ機器は、第2のユーザ機器のキャンピングセルのシステム情報ブロックSIB15から第2のMBMS SAIセットを取得し、第2のMBMS SAIセットを第1のユーザ機器に送信する。
【０１１３】
303．第1のMBMS SAIセットが第2のMBMS SAIセット内の少なくとも1つのSAIを含むとき、第1のユーザ機器が第2のユーザ機器に第1の要求メッセージを送信する。
【０１１４】
第1の要求メッセージは、第1のMBMS用の中継サービスを第1のユーザ機器に提供するように、第2のユーザ機器に要求するために使用される。
【０１１５】
第1のMBMS SAIセットが第2のMBMS SAIセット内の少なくとも1つのSAIを含む、すなわち、第1のMBMS SAIセットと第2のMBMS SAIセットとの間に共通部分セットが存在する場合、それは、第2のユーザ機器のキャンピングセルが第1のMBMSのMBMSサービスエリアに属する、すなわち、第2のユーザ機器のキャンピングセルが第1のMBMSを提供することを示す。したがって、第2のユーザ機器は、第1のMBMS用の中継サービスを第1のユーザ機器に提供する中継ユーザ機器として使用することができる。
【０１１６】
第1のMBMS SAIセットが第2のMBMS SAIセット内のいずれのSAIも含まない、すなわち、第1のMBMS SAIセットと第2のMBMS SAIセットとの間に共通部分セットが存在しない場合、それは、第2のユーザ機器が中継ユーザ機器として使用することができないことを意味する。この場合、次のステップは実施されない。
【０１１７】
第1のユーザ機器は、第2のユーザ機器が中継ユーザ機器として使用することができると判定した後、第1のMBMS用の中継サービスを第1のユーザ機器に提供するように第2のユーザ機器に要求するために、第2のユーザ機器に第1の要求メッセージを送信する。場合によっては、第1の要求メッセージはTMGI監視要求（TMGI Monitoring Request）メッセージであり、TMGI監視要求メッセージは第1のTMGIを含む。第1のTMGIは第1のMBMSを識別するために使用される。
【０１１８】
304．第2のユーザ機器が第1のMBMSのサービスデータを監視する。
【０１１９】
第1の要求メッセージを受信した後、第2のユーザ機器は、第1のMBMSのサービスデータを監視するようにトリガされる。具体的には、マルチキャスト制御チャネル（Multicast Control Channel、略してMCCH）上で第1のTMGIを検出すると、第2のユーザ機器は、MBMSチャネル（MBMS Traffic Channel、略してMTCH）上で第1のMBMSのサービスデータを受信する。
【０１２０】
第1のMBMSを提供するセル、すなわち、第1のMBMSのMBMSサービスエリアのカバレージ内のセルの場合、MTCH上に第1のMBMSのサービスデータが存在するときのみ、MCCH上で第1のTMGIを検出することができる。MTCH上に第1のMBMSのサービスデータが存在しない場合、MCCH上で第1のTMGIを検出することができない。したがって、セルが第1のMBMSを提供することができるかどうかは、MCCH上で第1のTMGIを検出することができるかどうかのみに従って、判定することができる。
【０１２１】
本発意のこの実施形態では、第2のユーザ機器が第1のMBMS用の中継サービスを第1のユーザ機器に提供する中継ユーザ機器として使用することができるかどうかをより正確に判定するために、第1のMBMS SAIセットおよび第2のMBMS SAIセットに従って、第2のユーザ機器のキャンピングセルが第1のMBMSを提供するかどうかが判定される。
【０１２２】
305．第2のユーザ機器が第1のユーザ機器に第1の応答メッセージを送信する。
【０１２３】
ステップ303を参照して、第1の要求メッセージを受信した後、第2のユーザ機器は、第1のユーザ機器に第1の応答メッセージを送信し、第1の応答メッセージは、第2のユーザ機器から第1のMBMSのサービスデータを受信するように、第1のユーザ機器に命令するために使用される。具体的には、第1の応答メッセージはTMGI監視応答（TMGI Monitoring Response）メッセージであり得るし、TMGI監視応答メッセージは、媒体アクセス制御（Media Access Control、略してMAC）アドレスを含み、MACアドレスは、第1のユーザ機器に第1のMBMSのサービスデータを送信するためのレイヤ2の識別情報（layer−2 group ID＿traffic）として使用される。加えて、TMGI監視応答メッセージは監視継続時間（TMGI＿monitoring＿refresh timer）をさらに含み、監視継続時間は、第2のユーザ機器が第1のMBMSのサービスデータを監視する継続時間である。第2のユーザ機器は、第2のユーザ機器の監視時間が監視継続時間を超えると、監視を停止する。
【０１２４】
306．第2のユーザ機器が、第1のMBMSのサービスデータを検出すると、第1のユーザ機器に第1のMBMSのサービスデータを送信する。
【０１２５】
具体的には、第1のMBMSのサービスデータを検出すると、第2のユーザ機器は、TMGI監視応答メッセージ内で搬送されたMACアドレスを使用することにより、第1のユーザ機器に第1のMBMSのサービスデータを送信する。第1のユーザ機器はTMGI監視応答メッセージを使用することによってMACアドレスを取得しているので、第1のユーザ機器は、MACアドレスに従って、第2のユーザ機器によって送信された第1のMBMSのサービスデータを識別することができる。
【０１２６】
第1のユーザ機器は、第1のMBMS用であり、第2のユーザ機器によって提供された中継サービスを使用することにより、第2のユーザ機器から第1のMBMSのサービスデータを受信することができる。第2のユーザ機器に第1の要求メッセージを送信する前に、第1のユーザ機器は、第2のユーザ機器のキャンピングセルが第1のMBMSのMBMSサービスエリア内にあると判定しており、すなわち、第1のユーザ機器は、第2のユーザ機器が中継サービスを提供することができると判定している。したがって、以下の従来技術の問題が回避される：第1のユーザ機器が中継ユーザ機器のランダムな選択に起因して適時に第1のMBMSのサービスデータを受信することができず、連続した監視および待機に起因して通信リソースが浪費される。
【０１２７】
307．第2のユーザ機器が第1のユーザ機器に第4のメッセージを周期的に送信する。
【０１２８】
ステップ304を参照して、第1のMBMSのサービスデータを監視するとき、第2のユーザ機器は、第1のユーザ機器に第4のメッセージを周期的に送信する。第4のメッセージは第1のTMGIを含む。第4のメッセージは、第2のユーザ機器が第1のMBMSのサービスデータを監視していることを示すために使用される。場合によっては、第2のユーザ機器は、第1のユーザ機器が第4のメッセージを受信するように、ブロードキャスト方式で第4のメッセージを周期的に送信する。
【０１２９】
ステップ305、ステップ306、およびステップ307は、すべてステップ304の後に実施され、3つのステップの間に順番は存在しない。
【０１３０】
308．第1のユーザ機器がユニキャストデータチャネルを解放する。
【０１３１】
ステップ307を参照して、第4のメッセージを受信した後、第1のユーザ機器は、第2のユーザ機器を使用することにより第1のMBMSのサービスデータを受信することができると判定する。この場合、第1のユーザ機器はユニキャストデータチャネルを解放する。ユニキャストデータチャネルは、第1のMBMSのアプリケーションサーバが第1のユーザ機器に第1のMBMSのサービスデータを送信するユニキャストデータチャネルである。ユニキャストデータチャネルをMBMSブロードキャスト／マルチキャストデータチャネルと交換すると、通信リソースを節約し、通信効率を改善する助けになる。
【０１３２】
309．第1のユーザ機器が、あらかじめ設定された継続時間内に、第2のユーザ機器によって送信された第4のメッセージを受信しないとき、第1のユーザ機器は、ユニキャストデータチャネルを確立するように第1のMBMSのアプリケーションサーバに要求し、第2のユーザ機器から第1のMBMSのサービスデータを受信しない。
【０１３３】
第1のユーザ機器があらかじめ設定された継続時間内に第4のメッセージを受信しない場合、それは、第1のユーザ機器が第2のユーザ機器を使用することにより第1のMBMSのサービスデータを受信できないことを示す。この場合、第1のユーザ機器は、ユニキャストデータチャネルを確立することを要求する場合がある。ユニキャストデータチャネルが確立された後、第1のユーザ機器は、ユニキャストデータチャネルを使用することにより第1のMBMSのサービスデータを受信することができ、第2のユーザ機器から第1のMBMSのサービスデータを受信しない。
【０１３４】
310．監視継続時間が経過した後、第1のユーザ機器は、再び第2のユーザ機器に第1の要求メッセージを送信する。
【０１３５】
ステップ305を参照して、第2のユーザ機器は、第2のユーザ機器の監視時間が監視継続時間を超えると、監視を停止する。したがって、第1のユーザ機器が、第2のユーザ機器によって送信された第1の応答メッセージを受信し、監視継続時間が経過した後、第2のユーザ機器が中継サービスを提供することをまだ必要とする場合、第1のユーザ機器は、第1のMBMSのサービスデータを監視し続けるように再び第2のユーザ機器に要求するために、再び第2のユーザ機器に第1の要求メッセージを送信する。
【０１３６】
本発明のこの実施形態による中継サービスを要求するための通信方法では、第1のユーザ機器は第1のMBMS SAIセットを取得し、第2のユーザ機器は、第2のMBMS SAIセットを取得し、第2のMBMS SAIセットを第1のユーザ機器に送信し、第1のユーザ機器は、第2のユーザ機器が第1のMBMS用の中継サービスを第1のユーザ機器に提供する中継ユーザ機器として使用することができるかどうかを判定する。第2のユーザ機器が中継ユーザ機器として使用することができる場合、第1のユーザ機器は、第2のユーザ機器に第1の要求メッセージを送信し、第2のユーザ機器を使用することにより第1のMBMSのサービスデータをさらに受信する。第2のユーザ機器が中継ユーザ機器として使用することができない場合、第2のユーザ機器に中継サービスを要求する必要はない。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０１３７】
本発明の別の実施形態は、中継サービスを要求するための別の通信方法を提供する。図4を参照すると、方法は第2のユーザ機器に適用され、具体的に以下のステップを含む。
【０１３８】
401．第1のユーザ機器によって送信された第3の要求メッセージを受信し、第3の要求メッセージは第1のMBMS SAIセットを含む。
【０１３９】
第1のMBMS SAIセットは、第1のMBMSのMBMSサービスエリアのMBMS SAIセットであり、第1のMBMSのMBMSサービスエリアを識別するために使用される。第1のMBMSは、グループ通信アプリケーションサーバによって第1のユーザ機器に提供されるMBMSである。
【０１４０】
第1のMBMS SAIセットは、1つまたは複数のMBMS SAIを含む場合があり、第1のMBMS SAIセット内の各SAIによって識別されるMBMSサービスエリアは、ユーザに第1のMBMSを提供することができる。
【０１４１】
402．第2のMBMS SAIセットを取得する。
【０１４２】
第2のMBMS SAIセットは、第2のユーザ機器のキャンピングセルが属するMBMS SAIセットである。
【０１４３】
具体的には、第2のユーザ機器は、第2のユーザ機器のキャンピングセルのSIB（System Information Block Type、システム情報ブロック）15から第2のMBMS SAIセットを取得する場合がある。
【０１４４】
SIB15は、第2のユーザ機器のキャンピングセルの現在の周波数用のMBMS SAIのリスト（List of MBMS SAIs for the Current Frequeny）を含む。リスト内の各SAIは、第2のユーザ機器のキャンピングセルが属するMBMSサービスエリアを識別する。SIB15を受信し構文解析した後、第2のユーザ機器は、リスト内のSAIを第2のMBMS SAIセットとして使用する。
【０１４５】
403．第1のMBMS SAIセットが第2のMBMS SAIセット内の少なくとも1つのSAIを含むとき、第1のユーザ機器に第2の応答メッセージを送信する。
【０１４６】
第2の応答メッセージは、第2のユーザ機器が第1のMBMS用の中継サービスを第1のユーザ機器に提供できることを示すために使用される。
【０１４７】
第1のMBMS SAIセットが第2のMBMS SAIセット内の少なくとも1つのSAIを含む、すなわち、第1のMBMS SAIセットと第2のMBMS SAIセットとの間に共通部分セットが存在する場合、それは、第2のユーザ機器のキャンピングセルが第1のMBMSのMBMSサービスエリアに属することを示す。したがって、第2のユーザ機器は、第1のMBMS用の中継サービスを第1のユーザ機器に提供する中継ユーザ機器として使用することができる。この場合、第2のユーザ機器は、第1のユーザ機器に第2の応答メッセージを送信する。
【０１４８】
第1のMBMS SAIセットと第2のMBMS SAIセットとの間に共通部分セットが存在しない場合、第2のユーザ機器は、第1のユーザ機器に第2の応答メッセージを送信しない。たとえば、第2のユーザ機器は、第3の要求メッセージに応答しないか、または中継サービスを提供することを拒否するためのメッセージを送信する。
【０１４９】
本発明のこの実施形態による中継サービスを要求するための通信方法では、第2のユーザ機器は、第1のMBMS SAIセットを含み第1のユーザ機器によって送信された第3の要求メッセージを受信し、第2のユーザ機器のキャンピングセルのシステム情報ブロックSIB15から第2のMBMS SAIセットを取得し、第1のMBMS SAIセットが第2のMBMS SAIセット内の少なくとも1つのSAIを含むとき、第2の応答メッセージを使用することにより、第2のユーザ機器が第1のMBMS用の中継サービスを第1のユーザ機器に提供できることを第1のユーザ機器に通知する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０１５０】
本発明の別の実施形態は、中継サービスを要求するための通信方法を提供する。図5を参照すると、方法は第1のユーザ機器に適用され、具体的に以下のステップを含む。
【０１５１】
501．第1のMBMS SAIセットを取得する。
【０１５２】
第1のMBMS SAIセットは、第1のMBMSのMBMSサービスエリアのMBMS SAIセットであり、第1のMBMSのMBMSサービスエリアを識別するために使用される。第1のMBMSは、グループ通信アプリケーションサーバによって第1のユーザ機器に提供されるMBMSである。
【０１５３】
具体的には、場合によっては、第1のユーザ機器は、グループ通信アプリケーションサーバにアクセスすることにより、グループ通信アプリケーションサーバから第1のユーザ機器のUSDを取得し、USD内にあり、第1のTMGIに対応するSAIを第1のMBMS SAIセットとして使用し、第1のTMGIは第1のMBMSを識別するTMGIである。
【０１５４】
502．第2のユーザ機器に第3の要求メッセージを送信し、第3の要求メッセージは第1のMBMS SAIセットを含む。
【０１５５】
503．第2のユーザ機器によって送信された第2の応答メッセージを受信する。
【０１５６】
第2の応答メッセージは、第2のユーザ機器が第1のMBMS用の中継サービスを第1のユーザ機器に提供できることを示すために使用される。
【０１５７】
第2のユーザ機器によって送信された第2の応答メッセージを受信すると、第1のユーザ機器は、第2のユーザ機器が中継サービスを提供することができると判定する。
【０１５８】
本発明のこの実施形態による中継サービスを要求するための通信方法では、第1のユーザ機器は第1のMBMS SAIセットを取得し、第1のMBMS SAIセットを第2のユーザ機器に送信し、その結果、第2のユーザ機器は、第1のMBMS用の中継サービスを第1のユーザ機器に提供することができるかどうかを判定する。このようにして、中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０１５９】
図4および図5に対応する実施形態に基づいて、本発明の別の実施形態は、中継サービスを要求するためのまた別の通信方法を提供する。図6を参照すると、方法は具体的に以下のステップを含む。
【０１６０】
601．第1のユーザ機器が第1のMBMS SAIセットを取得する。
【０１６１】
第1のMBMS SAIセットは、第1のMBMSのMBMSサービスエリアのMBMS SAIセットであり、第1のMBMSのMBMSサービスエリアを識別するために使用される。第1のMBMSは、グループ通信アプリケーションサーバによって第1のユーザ機器に提供されるMBMSである。
【０１６２】
具体的には、第1のユーザ機器は、グループ通信アプリケーションサーバにアクセスすることにより第1のユーザ機器のUSDを取得し、USD内にあり、第1のTMGIに対応するMBMS SAIセットを第1のMBMS SAIセットとして使用し、第1のTMGIは第1のMBMSを識別するために使用される。
【０１６３】
602．第1のユーザ機器が第2のユーザ機器に第3の要求メッセージを送信する。
【０１６４】
第3の要求メッセージは第1のMBMS SAIセットを含む。
【０１６５】
603．第2のユーザ機器が第2のユーザ機器のキャンピングセルのSIB15から第2のMBMS SAIセットを取得する。
【０１６６】
SIB15は、第2のユーザ機器のキャンピングセルの現在の周波数用のMBMS SAIのリスト（List of MBMS SAIs for the Current Frequeny）を含む。リスト内の各SAIは、第2のユーザ機器のキャンピングセルが属するMBMSサービスエリアを識別する。SIB15を受信し構文解析した後、第2のユーザ機器は、リスト内のSAIを第2のMBMS SAIセットとして使用する。
【０１６７】
604．第1のMBMS SAIセットが第2のMBMS SAIセット内の少なくとも1つのSAIを含むとき、第2のユーザ機器が第1のユーザ機器に第2の応答メッセージを送信する。
【０１６８】
第2の応答メッセージは、第2のユーザ機器が第1のMBMS用の中継サービスを第1のユーザ機器に提供できることを示すために使用される。
【０１６９】
第1のMBMS SAIセットが第2のMBMS SAIセット内の少なくとも1つのSAIを含み、すなわち、第1のMBMS SAIセットと第2のMBMS SAIセットとの間に共通部分セットが存在する。それは、第2のユーザ機器のキャンピングセルが第1のMBMSを提供し、第2のユーザ機器が第1のMBMS用の中継サービスを第1のユーザ機器に提供できることを意味する。この場合、第2のユーザ機器は、第1のユーザ機器に第2の応答メッセージを送信する。
【０１７０】
第1のMBMS SAIセットと第2のMBMS SAIセットとの間に共通部分セットが存在しない場合、それは、第2のユーザ機器のキャンピングセルが第1のMBMSを提供せず、第2のユーザ機器が第1のMBMS用の中継サービスを第1のユーザ機器に提供できないことを意味する。この場合、第2のユーザ機器は、第1のユーザ機器に第2の応答メッセージを送信しない。たとえば、第2のユーザ機器は、第3の要求メッセージに応答しないか、または中継サービスを提供することを拒否するためのメッセージを送信する。
【０１７１】
場合によっては、具体的な適用シナリオでは、第1のユーザ機器のUSDは、グループ通信アプリケーションサーバによって第1のユーザ機器に提供される複数のMBMSの記述情報を含む。第1のユーザ機器は、USDに含まれる複数のMBMSに対応するSAIを第1のMBMS SAIセットとして使用し、第1のMBMS SAIセットを第2のユーザ機器に送信する。第1のMBMS SAIセットが第2のMBMS SAIセット内の少なくとも1つのSAIを含むとき、第2のユーザ機器は、第1のユーザ機器に第2の応答メッセージを送信する。第2の応答メッセージは、第1のMBMS SAIセットと第2のMBMS SAIセットとの間の共通部分セットを含み、共通部分セットに含まれるSAIは、第1のMBMSを含む少なくとも1つのMBMSのサービスエリアを識別する。すなわち、第2のユーザ機器は、第1のMBMSを含む複数のMBMS用の中継サービスを第1のユーザ機器に提供することができる。
【０１７２】
605．第1のユーザ機器が第2のユーザ機器に第1の要求メッセージを送信する。
【０１７３】
第1の要求メッセージは、第1のMBMS用の中継サービスを第1のユーザ機器に提供するように、第2のユーザ機器に要求するために使用される。
【０１７４】
場合によっては、ステップ604を参照して、第2のユーザ機器が第1のMBMSを含む複数のMBMS用の中継サービスを第1のユーザ機器に提供することができるとき、第2の応答メッセージは、第1のMBMS SAIセットと第2のMBMS SAIセットとの間の共通部分セットを含む。
【０１７５】
この場合、第2の応答メッセージを受信した後、第1のユーザ機器は、第2のユーザ機器が第1のMBMSを含む少なくとも1つのMBMS用の中継サービスを第1のユーザ機器に提供することができると判定し、第2のユーザ機器に少なくとも1つのMBMS用の中継サービスを要求する。
【０１７６】
第1のユーザ機器のUSDでは、少なくとも1つのSAIに対応する様々なMBMSの各々および様々なMBMSは、様々なTMGI識別情報を使用することによって識別される。第1のユーザ機器は、第2の応答メッセージを受信した後、判定を実施する。MBMSに対応するSAIが第1のMBMS SAIセットと第2のMBMS SAIセットとの間の共通部分セットに含まれる場合、それは、第2のユーザ機器がMBMS用の中継サービスを提供できることを意味する。第1のユーザ機器は、第2のユーザ機器に少なくとも1つのTMGI監視要求（TMGI Monitoring Request）メッセージを送信し、第2のユーザ機器に少なくとも1つのMBMS用の中継サービスを要求する場合がある。少なくとも1つのTMGI監視要求メッセージは、様々なMBMSを識別する様々なTMGIを含む。
【０１７７】
606．第2のユーザ機器が第1のユーザ機器に第1の応答メッセージを送信する。
【０１７８】
第1の応答メッセージは、第2のユーザ機器から第1のMBMSのサービスデータを受信するように、第1のユーザ機器に命令するために使用される。
【０１７９】
第2のユーザ機器が第1のユーザ機器に中継サービスを提供し、第1のユーザ機器に第1のMBMSのサービスデータを送信する具体的なプロセスについては、図3に対応する実施形態を参照されたい。詳細は本明細書では再び記載されない。
【０１８０】
ステップ602からステップ606を参照して、第1のユーザ機器は、第3の要求メッセージを使用することにより、第2のユーザ機器に第1のMBMS SAIセットを送信し、第2の応答メッセージを受信した後、第2のユーザ機器に第1の要求メッセージを送信して、中継サービスを提供するように第2のユーザ機器に要求する。
【０１８１】
具体的な適用シナリオでは、第3の要求メッセージは第1のTMGIをさらに含み、第1のTMGIは第1のMBMSを識別するために使用される。第3の要求メッセージを受信した後、第1のMBMS SAIセットが第2のMBMS SAIセット内の少なくとも1つのSAIを含む場合、第2のユーザ機器は、第1のユーザ機器に中継サービスを提供することを決定する。加えて、第3の要求メッセージは第1のTMGIを含むので、第2のユーザ機器は、第1のMBMSのサービスデータを監視することを直ちに開始することができる。
【０１８２】
監視を実施するようにトリガされた後、第2のユーザ機器は、第2のユーザ機器から第1のMBMSのサービスデータを受信するように第1のユーザ機器に命令するために、第1のユーザ機器に第2の応答メッセージを送信する。第2の応答メッセージはMACアドレスを含む。第1のMBMSのサービスデータを検出すると、第2のユーザ機器は、第2の応答メッセージ内で搬送されたMACアドレスを使用することにより、第1のユーザ機器に第1のMBMSのサービスデータを送信する。
【０１８３】
第1のユーザ機器に中継サービスを提供することを決定した後、第2のユーザ機器は、監視を実施するように第1のTMGIによってトリガされ、第1のMBMSのサービスデータを受信するように第1のユーザ機器に命令する。したがって、シグナリング交換が低減され、第1のユーザ機器向けのサービス効率がさらに高まる。
【０１８４】
本発明のこの実施形態による中継サービスを要求するための通信方法では、第1のユーザ機器は第1のMBMS SAIセットを取得し、第3の要求メッセージを使用することにより第2のユーザ機器に第1のMBMS SAIセットを送信する。第2のユーザ機器は、第2のユーザ機器のキャンピングセルのシステム情報ブロックSIB15から第2のMBMS SAIセットを取得し、第2のユーザ機器は、第1のMBMS SAIセットと第2のMBMS SAIセットとの間に共通部分セットが存在するとき、第2のユーザ機器が第1のMBMS用の中継サービスを第1のユーザ機器に提供できることを示すために、第1のユーザ機器に第2の応答メッセージを送信する。第2のユーザ機器が第1のMBMS用の中継サービスを第1のユーザ機器に提供することができると判定された後、第1のユーザ機器は、第2のユーザ機器から中継サービスを取得することを要求する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０１８５】
図1に対応する実施形態に基づいて、本発明の一実施形態は、図1に対応する実施形態における第1のユーザ機器の関連動作を実行するように構成された、ユーザ機器70を提供する。図7を参照すると、ユーザ機器70は、
第1のマルチメディアブロードキャスト／マルチキャストサービスのサービスエリア識別情報MBMS SAIセットを取得し、第1のMBMS SAIセットを制御ユニット704に送るように構成された取得ユニット701であって、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、取得ユニット701と、
第2のユーザ機器によって送信された第2のMBMS SAIセットを受信し、第2のMBMS SAIセットを制御ユニット704に送るように構成された受信ユニット702であって、第2のMBMS SAIセットが第2のユーザ機器のキャンピングセルが属するMBMS SAIセットである、受信ユニット702と、
第1のMBMS SAIセットが第2のMBMS SAIセット内の少なくとも1つのSAIを含むと制御ユニット704が判定すると、第2のユーザ機器に第1の要求メッセージを送信するように構成された送信ユニット703であって、第1の要求メッセージが、第1のMBMS用の中継サービスを第1のユーザ機器に提供するように、第2のユーザ機器に要求するために使用される、送信ユニット703と
を含む。
【０１８６】
場合によっては、取得ユニット701は、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【０１８７】
場合によっては、第1の要求メッセージはTMGI監視要求メッセージであり、TMGI監視要求メッセージは第1のTMGIを含む。
【０１８８】
場合によっては、送信ユニット703は、第2のユーザ機器に第2の要求メッセージを送信するようにさらに構成され、第2の要求メッセージは、第2のMBMS SAIセットを取得することを要求するために使用される。
【０１８９】
場合によっては、受信ユニット702は、第2のユーザ機器から第1の応答メッセージを受信するようにさらに構成され、第1の応答メッセージは、第2のユーザ機器から第1のMBMSのサービスデータを受信するように、第1のユーザ機器に命令するために使用される。
【０１９０】
本発明のこの実施形態によって提供されたユーザ機器は、第1のMBMS SAIセットおよび第2のMBMS SAIセットを取得し、第2のユーザ機器のキャンピングセルが第1のMBMSのMBMSサービスエリアのカバレージ内にあると判定すると、第1のMBMS用の中継サービスをユーザ機器に提供するように、第2のユーザ機器に要求する。このようにして、ユーザ機器が中継ユーザ機器をランダムに選択することが回避され、ユーザ機器は、第1のMBMS用の中継サービスを提供する適切な中継ユーザ機器を選択することができる。したがって、ユーザ機器向けのサービス効率は高まり、サービスに対するユーザ満足は改善される。
【０１９１】
図2に対応する実施形態に基づいて、本発明の一実施形態は、図2に対応する実施形態における第2のユーザ機器の関連動作を実行するように構成された、他のユーザ機器80を提供する。図8を参照すると、ユーザ機器80は、
第2のマルチメディアブロードキャスト／マルチキャストサービスのサービスエリア識別情報MBMS SAIセットを第1のユーザ機器に送信し、その結果、第1のユーザ機器が、第2のMBMS SAIセットおよび第1のMBMS SAIセットに従って、第2のユーザ機器が第1のマルチメディアブロードキャスト／マルチキャストサービスMBMS用の中継サービスを第1のユーザ機器に提供することができるかどうかを判定するように構成された送信ユニット801であって、第2のMBMS SAIセットが第2のユーザ機器のキャンピングセルが属するMBMS SAIセットであり、第1のMBMS SAIセットが第1のMBMSのMBMSサービスエリアのMBMS SAIセットであり、第1のMBMSがグループ通信アプリケーションサーバによって第1のユーザ機器に提供されるMBMSである、送信ユニット801と、
第1のユーザ機器によって送信された第1の要求メッセージを受信するように構成された受信ユニット802であって、第1の要求メッセージが、第1のMBMS用の中継サービスを第1のユーザ機器に提供するように、第2のユーザ機器に要求するために使用される、受信ユニット802と、
を含む。
【０１９２】
場合によっては、受信ユニット802は、第2のユーザ機器のキャンピングセルのシステム情報ブロックSIB15を受信するようにさらに構成される。
【０１９３】
ユーザ機器80は、受信ユニット802によって受信された第2のユーザ機器のキャンピングセルのシステム情報ブロックSIB15から第2のMBMS SAIを取得するように構成された、取得ユニット803をさらに含む。
【０１９４】
場合によっては、受信ユニット802は、第1のユーザ機器によって送信された第2の要求メッセージを受信するようにさらに構成され、第2の要求メッセージは、第2のMBMS SAIセットを取得することを要求するために使用される。
【０１９５】
場合によっては、送信ユニット801は、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【０１９６】
本発明のこの実施形態によって提供されたユーザ機器は、第1のユーザ機器に第2のMBMS SAIセットを送信し、その結果、第1のユーザ機器は、ユーザ機器が中継ユーザ機器として使用することができると判定した後、ユーザ機器に第1のMBMS用の中継サービスを要求する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０１９７】
図4に対応する実施形態に基づいて、本発明の別の実施形態は、図4に対応する実施形態における第2のユーザ機器の関連動作を実行するように構成された、ユーザ機器90を提供する。図9を参照すると、ユーザ機器90は、
第1のユーザ機器によって送信された第3の要求メッセージを受信し、第3の要求メッセージを制御ユニット904に送るように構成された受信ユニット901であって、第3の要求メッセージが第1のマルチメディアブロードキャスト／マルチキャストサービスのサービスエリア識別情報MBMS SAIセットを含み、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、受信ユニット901と、
第2のMBMS SAIセットを取得し、第2のMBMS SAIセットを制御ユニット904に送るように構成された取得ユニット902であって、第2のMBMS SAIセットが第2のユーザ機器のキャンピングセルが属するMBMS SAIセットである、取得ユニット902と、
第1のMBMS SAIセットが第2のMBMS SAIセット内の少なくとも1つのSAIを含むと制御ユニット904が判定すると、第1のユーザ機器に第2の応答メッセージを送信するように構成された送信ユニット903であって、第2の応答メッセージが、第2のユーザ機器が第1のMBMS用の中継サービスを第1のユーザ機器に提供できることを示すために使用される、送信ユニット903と
を含む。
【０１９８】
場合によっては、受信ユニット901は、第2のユーザ機器のキャンピングセルのシステム情報ブロックSIB15を受信するようにさらに構成される。
【０１９９】
取得ユニット902は、具体的に、受信ユニット901によって受信された第2のユーザ機器のキャンピングセルのシステム情報ブロックSIB15から第2のMBMS SAIを取得するように構成される。
【０２００】
場合によっては、第2の応答メッセージは、第1のMBMS SAIセットと第2のMBMS SAIセットとの間の共通部分セットを含む。
【０２０１】
場合によっては、受信ユニット901は、第1のユーザ機器によって送信された第1の要求メッセージを受信するようにさらに構成され、第1の要求メッセージは、第1のMBMS用の中継サービスを第1のユーザ機器に提供するように、第2のユーザ機器に要求するために使用される。
【０２０２】
送信ユニット903は、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【０２０３】
場合によっては、第3の要求メッセージは第1のTMGIをさらに含み、第1のTMGIは第1のMBMSを識別するために使用される。
【０２０４】
第2の応答メッセージは、第2のユーザ機器から第1のMBMSのサービスデータを受信するように、第1のユーザ機器に命令するためにさらに使用される。
【０２０５】
本発明のこの実施形態による中継サービスを要求するための通信方法では、ユーザ機器は、第1のMBMS SAIセットを含み第1のユーザ機器によって送信された第3の要求メッセージを受信し、ユーザ機器のキャンピングセルのシステム情報ブロックSIB15から第2のMBMS SAIセットを取得し、第1のMBMS SAIセットが第2のMBMS SAIセット内の少なくとも1つのSAIを含むとき、第2の応答メッセージを使用することにより、ユーザ機器が第1のMBMS用の中継サービスを第1のユーザ機器に提供できることを第1のユーザ機器に通知する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０２０６】
図5に対応する実施形態に基づいて、本発明の別の実施形態は、図5に対応する実施形態における第1のユーザ機器の関連動作を実行するように構成された、他のユーザ機器100を提供する。図10を参照すると、ユーザ機器100は、
第1のマルチメディアブロードキャスト／マルチキャストサービスのサービスエリア識別情報MBMS SAIセットを取得するように構成された取得ユニット1001であって、第1のMBMS SAIセットが第1のマルチメディアブロードキャスト／マルチキャストサービスMBMSのMBMSサービスエリアのMBMS SAIセットであり、第1のMBMSがグループ通信アプリケーションサーバによって第1のユーザ機器に提供されるMBMSである、取得ユニット1001と、
第2のユーザ機器に第3の要求メッセージを送信するように構成された送信ユニット1002であって、第3の要求メッセージが取得ユニット1001によって取得された第1のMBMS SAIセットを含む、送信ユニット1002と、
第2のユーザ機器によって送信された第2の応答メッセージを受信するように構成された受信ユニット1003であって、第2の応答メッセージが、第2のユーザ機器が第1のMBMS用の中継サービスを第1のユーザ機器に提供できることを示すために使用される、受信ユニット1003と
を含む。
【０２０７】
場合によっては、取得ユニット1001は、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【０２０８】
場合によっては、第2の応答メッセージは、第1のMBMS SAIセットと第2のMBMS SAIセットとの間の共通部分セットを含む。第2のMBMS SAIセットは、第2のユーザ機器のキャンピングセルが属するMBMS SAIセットである。
【０２０９】
場合によっては、送信ユニット1002は、第2のユーザ機器に第1の要求メッセージを送信するようにさらに構成され、第1の要求メッセージは、第1のMBMS用の中継サービスを第1のユーザ機器に提供するように、第2のユーザ機器に要求するために使用される。
【０２１０】
受信ユニット1003は、第2のユーザ機器によって送信された第1の応答メッセージを受信するようにさらに構成され、第1の応答メッセージは、第2のユーザ機器から第1のMBMSのサービスデータを受信するように、第1のユーザ機器に命令するために使用される。
【０２１１】
本発明のこの実施形態によって提供されたユーザ機器は、第1のMBMS SAIセットを取得し、第1のMBMS SAIセットを第2のユーザ機器に送信し、その結果、第2のユーザ機器は、第2のユーザ機器が第1のMBMS用の中継サービスを第1のユーザ機器に提供することができるかどうかを判定する。このようにして、中継ユーザ機器をランダムに選択することが回避され、ユーザ機器は、第1のMBMS用の中継サービスを提供する適切な中継ユーザ機器を選択することができる。したがって、ユーザ機器向けのサービス効率は高まり、サービスに対するユーザ満足は改善される。
【０２１２】
図1に対応する実施形態に基づいて、本発明の一実施形態は、図1に対応する実施形態における第1のユーザ機器の関連動作を実行するように構成された、また他のユーザ機器110を提供する。図11を参照すると、ユーザ機器110は、プロセッサ1101と、メモリ1102と、送信機1105と、受信機1104と、バス1103とを含み、プロセッサ1101、メモリ1102、送信機1105、受信機1104、およびメモリ1102は、バス1103を使用することによって互いに接続される。
【０２１３】
プロセッサ1101は、第1のマルチメディアブロードキャスト／マルチキャストサービスのサービスエリア識別情報MBMS SAIセットを取得するように構成され、第1のMBMS SAIセットは、第1のマルチメディアブロードキャスト／マルチキャストサービスMBMSのMBMSサービスエリアのMBMS SAIセットであり、第1のMBMSは、グループ通信アプリケーションサーバによって第1のユーザ機器に提供されるMBMSである。
【０２１４】
受信機1104は、第2のユーザ機器によって送信された第2のMBMS SAIセットを受信するように構成され、第2のMBMS SAIセットは、第2のユーザ機器のキャンピングセルが属するMBMS SAIセットである。
【０２１５】
送信機1105は、第1のMBMS SAIセットが第2のMBMS SAIセット内の少なくとも1つのSAIを含むとプロセッサ1101が判定すると、第2のユーザ機器に第1の要求メッセージを送信するように構成され、第1の要求メッセージは、第1のMBMS用の中継サービスを第1のユーザ機器に提供するように、第2のユーザ機器に要求するために使用される。
【０２１６】
場合によっては、プロセッサ1101は、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【０２１７】
場合によっては、第1の要求メッセージはTMGI監視要求メッセージであり、TMGI監視要求メッセージは第1のTMGIを含む。
【０２１８】
場合によっては、送信機1105は、第2のユーザ機器に第2の要求メッセージを送信するようにさらに構成され、第2の要求メッセージは、第2のMBMS SAIセットを取得することを要求するために使用される。
【０２１９】
場合によっては、受信機1104は、第2のユーザ機器から第1の応答メッセージを受信するようにさらに構成され、第1の応答メッセージは、第2のユーザ機器から第1のMBMSのサービスデータを受信するように、第1のユーザ機器に命令するために使用される。
【０２２０】
本発明のこの実施形態によって提供されたユーザ機器は、第1のMBMS SAIセットおよび第2のMBMS SAIセットを取得し、第2のユーザ機器のキャンピングセルが第1のMBMSのMBMSサービスエリアのカバレージ内にあると判定すると、第1のMBMS用の中継サービスをユーザ機器に提供するように、第2のユーザ機器に要求する。このようにして、ユーザ機器が中継ユーザ機器をランダムに選択することが回避され、ユーザ機器は、第1のMBMS用の中継サービスを提供する適切な中継ユーザ機器を選択することができる。したがって、ユーザ機器向けのサービス効率は高まり、サービスに対するユーザ満足は改善される。
【０２２１】
図2に対応する実施形態に基づいて、本発明の一実施形態は、図2に対応する実施形態における第1のユーザ機器の関連動作を実行するように構成された、さらに他のユーザ機器120を提供する。図12を参照すると、ユーザ機器120は、プロセッサ1201と、メモリ1202と、送信機1205と、受信機1204と、バス1203とを含み、プロセッサ1201、メモリ1202、送信機1205、受信機1204、およびメモリ1202は、バス1203を使用することによって互いに接続される。
【０２２２】
送信機1205は、第2のマルチメディアブロードキャスト／マルチキャストサービスのサービスエリア識別情報MBMS SAIセットを第1のユーザ機器に送信するように構成され、その結果、第1のユーザ機器は、第2のMBMS SAIセットおよび第1のMBMS SAIセットに従って、第2のユーザ機器が第1のマルチメディアブロードキャスト／マルチキャストサービスMBMS用の中継サービスを第1のユーザ機器に提供することができるかどうかを判定し、第2のMBMS SAIセットは、第2のユーザ機器のキャンピングセルが属するMBMS SAIセットであり、第1のMBMS SAIセットは、第1のMBMSのMBMSサービスエリアのMBMS SAIセットであり、第1のMBMSは、グループ通信アプリケーションサーバによって第1のユーザ機器に提供されるMBMSである。
【０２２３】
受信機1204は、第1のユーザ機器によって送信された第1の要求メッセージを受信するように構成され、第1の要求メッセージは、第1のMBMS用の中継サービスを第1のユーザ機器に提供するように、第2のユーザ機器に要求するために使用される。
【０２２４】
場合によっては、受信機1204は、第2のユーザ機器のキャンピングセルのシステム情報ブロックSIB15を受信するようにさらに構成される。
【０２２５】
プロセッサ1201は、受信ユニットによって受信された第2のユーザ機器のキャンピングセルのシステム情報ブロックSIB15から第2のMBMS SAIを取得するように構成される。
【０２２６】
場合によっては、受信機1204は、第1のユーザ機器によって送信された第2の要求メッセージを受信するようにさらに構成され、第2の要求メッセージは、第2のMBMS SAIセットを取得することを要求するために使用される。
【０２２７】
場合によっては、送信機1205は、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【０２２８】
本発明のこの実施形態によって提供されたユーザ機器は、第1のユーザ機器に第2のMBMS SAIセットを送信し、その結果、第1のユーザ機器は、ユーザ機器が中継ユーザ機器として使用することができると判定した後、ユーザ機器に第1のMBMS用の中継サービスを要求する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０２２９】
図4に対応する実施形態に基づいて、本発明の別の実施形態は、図4に対応する実施形態における第1のユーザ機器の関連動作を実行するように構成された、また他のユーザ機器130を提供する。図13を参照すると、ユーザ機器130は、プロセッサ1301と、メモリ1302と、送信機1305と、受信機1304と、バス1303とを含み、プロセッサ1301、メモリ1302、送信機1305、受信機1304、およびメモリ1302は、バス1303を使用することによって互いに接続される。
【０２３０】
受信機1304は、第1のユーザ機器によって送信された第3の要求メッセージを受信するように構成され、第3の要求メッセージは、第1のマルチメディアブロードキャスト／マルチキャストサービスのサービスエリア識別情報MBMS SAIセットを含み、第1のMBMS SAIセットは、第1のマルチメディアブロードキャスト／マルチキャストサービスMBMSのMBMSサービスエリアのMBMS SAIセットであり、第1のMBMSは、グループ通信アプリケーションサーバによって第1のユーザ機器に提供されるMBMSである。
【０２３１】
プロセッサ1301は、第2のMBMS SAIセットを取得するように構成され、第2のMBMS SAIセットは、第2のユーザ機器のキャンピングセルが属するMBMS SAIセットである。
【０２３２】
送信機1305は、第1のMBMS SAIセットが第2のMBMS SAIセット内の少なくとも1つのSAIを含むとプロセッサ1301が判定すると、第1のユーザ機器に第2の応答メッセージを送信するように構成され、第2の応答メッセージは、第2のユーザ機器が第1のMBMS用の中継サービスを第1のユーザ機器に提供できることを示すために使用される。
【０２３３】
場合によっては、受信機1304は、第2のユーザ機器のキャンピングセルのシステム情報ブロックSIB15を受信するようにさらに構成される。
【０２３４】
プロセッサ1301は、受信機1304によって受信された第2のユーザ機器のキャンピングセルのシステム情報ブロックSIB15から第2のMBMS SAIを取得するようにさらに構成される。
【０２３５】
場合によっては、第2の応答メッセージは、第1のMBMS SAIセットと第2のMBMS SAIセットとの間の共通部分セットを含む。
【０２３６】
場合によっては、受信機1304は、第1のユーザ機器によって送信された第1の要求メッセージを受信するようにさらに構成され、第1の要求メッセージは、第1のMBMS用の中継サービスを第1のユーザ機器に提供するように、第2のユーザ機器に要求するために使用される。
【０２３７】
送信機1305は、第1のユーザ機器に第1の応答メッセージを送信するようにさらに構成され、第1の応答メッセージは、第2のユーザ機器から第1のMBMSのサービスデータを受信するように、第1のユーザ機器に命令するために使用される。
【０２３８】
場合によっては、第3の要求メッセージは第1のTMGIをさらに含み、第1のTMGIは第1のMBMSを識別するために使用される。
【０２３９】
第2の応答メッセージは、第2のユーザ機器から第1のMBMSのサービスデータを受信するように、第1のユーザ機器に命令するためにさらに使用される。
【０２４０】
本発明のこの実施形態による中継サービスを要求するための通信方法では、ユーザ機器は、第1のMBMS SAIセットを含み第1のユーザ機器によって送信された第3の要求メッセージを受信し、ユーザ機器のキャンピングセルのシステム情報ブロックSIB15から第2のMBMS SAIセットを取得し、第1のMBMS SAIセットが第2のMBMS SAIセット内の少なくとも1つのSAIを含むとき、第2の応答メッセージを使用することにより、ユーザ機器が第1のMBMS用の中継サービスを第1のユーザ機器に提供できることを第1のユーザ機器に通知する。このようにして、第1のユーザ機器が中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０２４１】
図5に対応する実施形態に基づいて、本発明の別の実施形態は、図5に対応する実施形態における第1のユーザ機器の関連動作を実行するように構成された、さらに他のユーザ機器140を提供する。図14を参照すると、ユーザ機器140は、プロセッサ1401と、メモリ1402と、送信機1405と、受信機1404と、バス1403とを含み、プロセッサ1401、メモリ1402、送信機1405、受信機1404、およびメモリ1402は、バス1403を使用することによって互いに接続される。
【０２４２】
プロセッサ1401は、第1のマルチメディアブロードキャスト／マルチキャストサービスのサービスエリア識別情報MBMS SAIセットを取得するように構成され、第1のMBMS SAIセットは、第1のマルチメディアブロードキャスト／マルチキャストサービスMBMSのMBMSサービスエリアのMBMS SAIセットであり、第1のMBMSは、グループ通信アプリケーションサーバによって第1のユーザ機器に提供されるMBMSである。
【０２４３】
送信機1405は、第2のユーザ機器に第3の要求メッセージを送信するように構成され、第3の要求メッセージは、取得ユニットによって取得された第1のMBMS SAIセットを含む。
【０２４４】
受信機1404は、第2のユーザ機器によって送信された第2の応答メッセージを受信するように構成され、第2の応答メッセージは、第2のユーザ機器が第1のMBMS用の中継サービスを第1のユーザ機器に提供できることを示すために使用される。
【０２４５】
場合によっては、プロセッサ1401は、具体的に、グループ通信アプリケーションサーバから第1のユーザ機器のユーザサービス記述USDを取得することであって、第1のユーザ機器のUSDが、グループ通信アプリケーションサーバによって第1のユーザ機器に提供されるMBMSの記述情報を含む、取得することと、第1のユーザ機器のUSD内にあり、第1の一時モバイルグループ識別情報TMGIに対応するSAIセットを第1のMBMS SAIセットとして使用することであって、第1のTMGIが第1のMBMSを識別するために使用される、使用することとを行うように構成される。
【０２４６】
場合によっては、第2の応答メッセージは、第1のMBMS SAIセットと第2のMBMS SAIセットとの間の共通部分セットを含む。第2のMBMS SAIセットは、第2のユーザ機器のキャンピングセルが属するMBMS SAIセットである。
【０２４７】
場合によっては、送信機1405は、第2のユーザ機器に第1の要求メッセージを送信するようにさらに構成され、第1の要求メッセージは、第1のMBMS用の中継サービスを第1のユーザ機器に提供するように、第2のユーザ機器に要求するために使用される。
【０２４８】
受信機1404は、第2のユーザ機器によって送信された第1の応答メッセージを受信するようにさらに構成され、第1の応答メッセージは、第2のユーザ機器から第1のMBMSのサービスデータを受信するように、第1のユーザ機器に命令するために使用される。
【０２４９】
本発明のこの実施形態によって提供されたユーザ機器は、第1のMBMS SAIセットを取得し、第1のMBMS SAIセットを第2のユーザ機器に送信し、その結果、第2のユーザ機器は、第2のユーザ機器が第1のMBMS用の中継サービスを第1のユーザ機器に提供することができるかどうかを判定する。このようにして、中継ユーザ機器をランダムに選択することが回避され、ユーザ機器は、第1のMBMS用の中継サービスを提供する適切な中継ユーザ機器を選択することができる。したがって、ユーザ機器向けのサービス効率は高まり、サービスに対するユーザ満足は改善される。
【０２５０】
図7から図14に対応する実施形態に基づいて、本発明の一実施形態は、通信システム150を提供する。図15に示されたように、通信システム150は、第1のユーザ機器1501と、第2のユーザ機器1502とを含み、
第1のユーザ機器1501は図7に対応する実施形態に記載されたユーザ機器であり、第2のユーザ機器1502は図8に対応する実施形態に記載されたユーザ機器であるか、または
第1のユーザ機器1501は図10に対応する実施形態に記載されたユーザ機器であり、第2のユーザ機器1502は図9に対応する実施形態に記載されたユーザ機器であるか、または
第1のユーザ機器1501は図11に対応する実施形態に記載されたユーザ機器であり、第2のユーザ機器1502は図12に対応する実施形態に記載されたユーザ機器であるか、または
第1のユーザ機器1501は図14に対応する実施形態に記載されたユーザ機器であり、第2のユーザ機器1502は図13に対応する実施形態に記載されたユーザ機器である。
【０２５１】
本発明のこの実施形態において提供された通信システムでは、第1のユーザ機器または第2のユーザ機器は、第1のMBMS SAIセットを第2のMBMS SAIセットと比較し、第1のMBMS SAIセットが第2のMBMS SAIセット内の少なくとも1つのSAIを含むとき、第2のユーザ機器が第1のMBMS用の中継サービスを第1のユーザ機器に提供する中継ユーザ機器として使用することができると判定する。
【０２５２】
第1のユーザ機器は、第2のユーザ機器が中継ユーザ機器として使用することができると判定した後、第2のユーザ機器に中継サービスを要求する。このようにして、中継ユーザ機器をランダムに選択することが回避され、第1のユーザ機器は、第1のMBMS用の中継サービスを提供する適切な中継ユーザ機器を選択することができる。したがって、第1のユーザ機器向けのサービス効率は高まり、サービスに対するユーザ満足は改善される。
【０２５３】
前述の実施形態の説明により、当業者は、本発明がハードウェア、ファームウェア、またはそれらの組合せによって実装される場合があることを明確に理解することができる。本発明がソフトウェアによって実装されると、前述の機能は、コンピュータ可読媒体に記憶されるか、またはコンピュータ可読媒体内の1つもしくは複数の命令もしくはコードとして伝送される場合がある。コンピュータ可読媒体には、コンピュータ記憶媒体および通信媒体が含まれ、通信媒体には、コンピュータプログラムが1つの場所から別の場所に伝送されることを可能にする任意の媒体が含まれる。記憶媒体は、コンピュータにアクセス可能な任意の利用可能な媒体であり得る。以下は限定ではなく例として見なされる：コンピュータ可読媒体には、RAM（Random Access Memory、ランダムアクセスメモリ）、ROM（Read Only Memory、読取り専用メモリ）、EEPROM（Electrically Erasable Programmable Read Only Memory、電気的消去可能読取り専用メモリ）、CD−ROM（Compact Disc Read Only Memory、コンパクトディスク読取り専用メモリ）もしくは別の光ディスクストレージ、または、ディスク記憶媒体もしくは別のディスクストレージデバイス、または、コマンドもしくはデータ構造の形態で期待されるプログラムコードを搬送もしくは記憶するために使用することができ、コンピュータによってアクセスすることができる任意の別の媒体が含まれる場合がある。加えて、いかなる接続もコンピュータ可読媒体として適切に定義される場合がある。たとえば、ソフトウェアが、同軸ケーブル、光ファイバケーブル、ツイストペア、DSL（Digital Subscriber Line、デジタル加入者回線）、または赤外線、無線、およびマイクロ波などのワイヤレス技術を使用することにより、ウェブサイト、サーバ、または別のリモートソースから伝送される場合、同軸ケーブル、光ファイバケーブル、ツイストペア、DSL、または赤外線、無線、およびマイクロ波などのワイヤレス技術は、それらが属する媒体の固定に含まれる。たとえば、本発明によって使用されるディスク（disk）およびディスク（disc）は、CD（Compact Disc、コンパクトディスク）（disc）、レーザーディスク(登録商標)（disc）、光ディスク（disc）、DVDディスク（Digital Versatile Disc、デジタル多用途ディスク）（disc）、フロッピーディスク（disk）、およびブルーレイディスク（disc）を含む。ディスク（disk）は、一般に、磁気的手段によってデータをコピーし、ディスク（disc）は、レーザー手段によって光学的にデータをコピーする。前述の組合せも、コンピュータ可読媒体の保護範囲内に含まれるべきである。
【０２５４】
前述の説明は、本発明の特定の実装方式にすぎず、本発明の保護範囲を限定するものではない。本発明で開示された技術的範囲内で当業者が容易に考え付くいかなる変形または置換も、本発明の保護範囲内に入るべきである。したがって、本発明の保護範囲は、特許請求の範囲の保護範囲に従うべきである。
【符号の説明】
【０２５５】
70  ユーザ機器
80  ユーザ機器
90  ユーザ機器
100  ユーザ機器
110  ユーザ機器
120  ユーザ機器
130  ユーザ機器
140  ユーザ機器
150  通信システム
701  取得ユニット
702  受信ユニット
703  送信ユニット
704  制御ユニット
801  送信ユニット
802  受信ユニット
803  取得ユニット
901  受信ユニット
902  取得ユニット
903  送信ユニット
904  制御ユニット
1001  取得ユニット
1002  送信ユニット
1003  受信ユニット
1101  プロセッサ
1102  メモリ
1103  バス
1104  受信機
1105  送信機
1201  プロセッサ
1202  メモリ
1203  バス
1204  受信機
1205  送信機
1301  プロセッサ
1302  メモリ
1303  バス
1304  受信機
1305  送信機
1401  プロセッサ
1402  メモリ
1403  バス
1404  受信機
1405  送信機
1501  第1のユーザ機器
1502  第2のユーザ機器
【図１】
0006526829.tif 000002
【図２】
0006526829.tif 000003
【図３】
0006526829.tif 000004
【図４】
0006526829.tif 000005
【図５】
0006526829.tif 000006
【図６】
0006526829.tif 000007
【図７】
0006526829.tif 000008
【図８】
0006526829.tif 000009
【図９】
0006526829.tif 000010
【図１０】
0006526829.tif 000011
【図１１】
0006526829.tif 000012
【図１２】
0006526829.tif 000013
【図１３】
0006526829.tif 000014
【図１４】
0006526829.tif 000015
【図１５】
0006526829.tif 000016